(57)【要約】  【課題】  カッタの劣化状態に応じて、カット圧、カット回数、カット速度などの種々の切断条件を効果的に設定することによって、カッタの使用寿命をより延ばすことを可能とすると共に、カッタの劣化状態の指標として切断距離及び切断実行回数を考慮することにより、カッタの劣化状態に対してより有効なカッタの刃の延命制御を行うことのできるカッティング装置および切断制御装置を提供すること。  【解決手段】  カッティングプリンタに設けられたカッタにより切断される切断線の長さ及び該カッタの下降又は上昇の回数である切断実行回数に応じて、該カッタによるシート切断時の切断条件（カット圧、カット回数、カット速度）が適切に設定されるので、該カッタの寿命を効果的に延ばすことができるという効果がある。  【選択図】    図３
2005279890.tif 000002
【特許請求の範囲】
【請求項１】
カットラインに沿ってシートを切断するカッタを備えたカッティング装置において、
前記カットラインの長さを取得する切断長取得手段と、
その切断長取得手段により取得されるカットラインの長さに基づく前記カッタの劣化指数を累積し、累積劣化指数として記憶する劣化指数記憶手段と、
その劣化指数記憶手段に記憶された累積劣化指数に応じて、前記シートの切断時におけるカット圧又は前記シートの切断時において１のカットラインに対して実行される切断の回数であるカット回数の少なくとも一方を制御する切断制御手段とを備えていることを特徴とするカッティング装置。
【請求項２】
前記カッタの劣化指数を取得する劣化指数取得手段と、
前記カッタの下降又は上昇の回数を切断実行回数として取得する切断実行回数取得手段とを備え、
前記劣化指数取得手段は、前記切断実行回数取得手段により取得される切断実行回数と前記切断長取得手段により取得されるカットラインの長さとに基づいて、前記劣化指数を取得するものであることを特徴とする請求項１記載のカッティング装置。
【請求項３】
前記切断制御手段は、前記累積劣化指数に応じて、前記カット圧及び前記カット回数の両方を制御するものであることを特徴とする請求項１又は２記載のカッティング装置。
【請求項４】
前記切断制御手段は、前記累積劣化指数に応じて、前記シートの切断時におけるカット速度を制御するものであることを特徴とする請求項１から３のいずれかに記載のカッティング装置。
【請求項５】
前記累積劣化指数と前記カット圧との関数及び／又は前記累積劣化指数と前記カット回数との関数を記憶する条件制御関数記憶手段を備え、
前記切断制御手段は、前記条件制御関数記憶手段により記憶される関数に基づいて、前記累積劣化指数に応じた前記カット圧及び／又は前記カット回数を制御するものであることを特徴とする請求項１から４のいずれかに記載のカッティング装置。
【請求項６】
前記累積劣化指数と前記カット圧との関数及び／又は前記累積劣化指数と前記カット回数との関数と、前記累積劣化指数と前記カット速度との関数とを記憶する条件制御関数記憶手段を備え、
前記切断制御手段は、前記条件制御関数記憶手段により記憶される関数に基づいて、前記累積劣化指数に応じた前記カット圧及び／又は前記カット回数と前記カット速度とを制御するものであることを特徴とする請求項４記載のカッティング装置。
【請求項７】
前記条件制御関数記憶手段により記憶される１の関数は、前記累積劣化指数における少なくとも１つの閾値を境界として連続的又は不連続的に変更される複数の関数の組み合わせにより構成されるものであることを特徴とする請求項５又は６記載のカッティング装置。
【請求項８】
前記累積劣化指数における少なくとも１つの閾値を記憶する閾値記憶手段と、
その閾値記憶手段により記憶される閾値により区切られる各区間に対する定数として設定された前記カット圧及び／又は前記カット回数を記憶する定数記憶手段とを備え、
前記切断制御手段は、前記累積劣化指数に基づいて、前記閾値記憶手段により記憶される閾値と前記定数記憶手段により記憶される定数とを参照することによって、前記カット圧及び／又は前記カット回数を制御するものであることを特徴とする請求項１から４のいずれかに記載のカッティング装置。
【請求項９】
前記累積劣化指数における少なくとも１つの閾値を記憶する閾値記憶手段と、
その閾値記憶手段により記憶される閾値により区切られる各区間における定数として設定された前記カット圧及び／又は前記カット回数と、前記閾値記憶手段により記憶される閾値により区切られる各区間における定数として設定された前記カット速度とを記憶する定数記憶手段とを備え、
前記切断制御手段は、前記累積劣化指数に基づいて、前記閾値記憶手段により記憶される閾値と前記定数記憶手段により記憶される定数とを参照することによって、前記カット圧及び／又は前記カット回数と前記カット速度とを制御するものであることを特徴とする請求項４記載のカッティング装置。
【請求項１０】
前記切断制御手段により、前記カット圧と前記カット回数とが制御される場合、あるいは、前記カット圧及び／又は前記カット回数と前記カット速度とが制御される場合、前記累積劣化指数における閾値が全てに対して共通に設けられていることを特徴とする請求項７から９のいずれかに記載のカッティング装置。
【請求項１１】
前記切断制御手段により、前記カット圧と前記カット回数とが制御される場合、あるいは、前記カット圧及び／又は前記カット回数と前記カット速度とが制御される場合、前記累積劣化指数における閾値がそれぞれ独立して設けられていることを特徴とする請求項７から９のいずれかに記載のカッティング装置。
【請求項１２】
前記カッタの劣化指数を取得する劣化指数取得手段を備え、
その劣化指数取得手段は、前記シートの種類に依存する値を用いて前記劣化指数を取得するものであることを特徴とする請求項１から１１のいずれかに記載のカッティング装置。
【請求項１３】
前記カッタの劣化指数を取得する劣化指数取得手段を備え、
その劣化指数取得手段は、前記切断制御手段により制御された前記カット圧又は予め固定値として設定された前記カット圧に依存する値を用いて前記劣化指数を取得するものであることを特徴とする請求項１から１２のいずれかに記載のカッティング装置。
【請求項１４】
前記カッタの劣化指数を取得する劣化指数取得手段を備え、
その劣化指数取得手段は、前記切断制御手段により制御された前記カット速度又は予め固定値として設定された前記カット速度に依存する値を用いて前記劣化指数を取得するものであることを特徴とする請求項１から１３のいずれかに記載のカッティング装置。
【請求項１５】
カッタによりシートを切断するカッティング装置と接続され、そのカッティング装置を制御するためのデータを送信することによって、前記シートを所望の形状に切断させる切断制御装置において、
前記カッタにより切断されるべき線分を規定するカッティングデータに基づいて、前記カッタによる切断長を取得する切断長取得手段と、
その切断長取得手段により取得される切断長に基づく前記カッタの劣化指数を累積し、累積劣化指数として記憶する劣化指数記憶手段と、
その劣化指数記憶手段に記憶された累積劣化指数に応じて、前記カッティング装置で実行される切断時におけるカット圧を制御するカット圧データ、又は、前記カッティング装置において１のカッティングデータに対して実行させる切断の回数を制御するカット回数データの少なくとも一方を設定する切断条件データ設定手段と、
その切断条件データ設定手段により設定された前記カット圧データ及び／又は前記カット回数データを、前記カッティング装置へ送信する切断条件データ送信手段を備えていることを特徴とする切断制御装置。
【請求項１６】
前記カッタの劣化指数を取得する劣化指数取得手段と、
前記カッタを前記シートへ下ろすよう指示するカッタ下降指示データ、又は、前記カッタを前記シートから上げるよう指示するカッタ上昇指示データを前記カッティング装置へ送信する回数を、切断実行回数として取得する切断実行回数取得手段を備え、
前記劣化指数取得手段は、前記切断実行回数取得手段により取得される切断実行回数と前記切断長取得手段により取得される切断長とに基づいて、前記劣化指数を取得するものであることを特徴とする請求項１５記載の切断制御装置。
【請求項１７】
前記切断条件データ設定手段は、前記累積劣化指数に応じて、前記カット圧データ及び前記カット回数データの両方を設定するものであることを特徴とする請求項１５又は１６記載の切断制御装置。
【請求項１８】
前記切断条件データ設定手段は、前記累積劣化指数に応じて、前記カッティング装置で実行される切断時におけるカット速度を制御するカット速度設定データを設定するものであることを特徴とする請求項１５から１７のいずれかに記載の切断制御装置。
【請求項１９】
前記累積劣化指数と前記カット圧データとの関数及び／又は前記累積劣化指数と前記カット回数データとの関数を記憶する条件設定関数記憶手段を備え、
前記切断条件データ設定手段は、前記条件設定関数記憶手段により記憶される関数に基づいて、前記累積劣化指数に応じた前記カット圧データ及び／又は前記カット回数データを設定するものであることを特徴とする請求項１５から１８のいずれかに記載の切断制御装置。
【請求項２０】
前記累積劣化指数と前記カット圧データとの関数及び／又は前記累積劣化指数と前記カット回数データとの関数と、前記累積劣化指数と前記カット速度データとの関数とを記憶する条件設定関数記憶手段を備え、
前記切断条件データ設定手段は、前記条件設定関数記憶手段により記憶される関数に基づいて、前記累積劣化指数に応じた前記カット圧データ及び／又は前記カット回数データと前記カット速度データとをそれぞれ設定するものであることを特徴とする請求項１８記載の切断制御装置。
【請求項２１】
前記条件設定関数記憶手段により記憶される１の関数は、前記累積劣化指数における少なくとも１つの閾値を境界として連続的又は不連続的に変更される複数の関数の組み合わせにより構成されるものであることを特徴とする請求項１９又は２０記載の切断制御装置。
【請求項２２】
前記累積劣化指数における少なくとも１つの閾値を記憶する閾値記憶手段と、
その閾値記憶手段により記憶される閾値により区切られる各区間毎に定数データとして設定された前記カット圧データ及び／又は前記カット回数データを記憶する定数データ記憶手段とを備え、
前記切断条件データ設定手段は、前記累積劣化指数に基づいて、前記閾値記憶手段により記憶される閾値と前記定数データ記憶手段により記憶される定数データとを参照することによって、前記カット圧データ及び／又は前記カット回数データを設定するものであることを特徴とする請求項１５から１８のいずれかに記載の切断制御装置。
【請求項２３】
前記累積劣化指数における少なくとも１つの閾値を記憶する閾値記憶手段と、
その閾値記憶手段により記憶される閾値により区切られる各区間毎に定数データとして設定された前記カット圧データ及び／又はカット回数データと、前記閾値記憶手段により記憶される閾値により区切られる各区間毎に定数データとして設定された前記カット速度データとを記憶する定数データ記憶手段とを備え、
前記切断条件データ設定手段は、前記累積劣化指数に基づいて、前記閾値記憶手段により記憶される閾値と前記定数データ記憶手段により記憶される定数データとを参照することによって、前記カット圧データ及び／又は前記カット回数データと前記カット速度とを設定するものであることを特徴とする請求項１８記載の切断制御装置。
【請求項２４】
前記切断条件データ設定手段により、前記カット圧データと前記カット回数データとが設定される場合、あるいは、前記カット圧データ及び／又は前記カット回数データと前記カット速度データとが設定される場合、前記累積劣化指数における閾値が全てに対して共通に設けられていることを特徴とする請求項２１から２３のいずれかに記載の切断制御装置。
【請求項２５】
前記切断条件データ設定手段により、前記カット圧データと前記カット回数データとが設定される場合、あるいは、前記カット圧データ及び／又は前記カット回数データと前記カット速度データとが設定される場合、前記累積劣化指数における閾値がそれぞれ独立して設けられていることを特徴とする請求項２１から２３のいずれかに記載の切断制御装置。
【請求項２６】
前記カッタの劣化指数を取得する劣化指数取得手段を備え、
その劣化指数取得手段は、前記カッティング装置において切断されるシートの種類に依存する値を用いて前記劣化指数を取得するものであることを特徴とする請求項１５から２５のいずれかに記載の切断制御装置。
【請求項２７】
前記カッタの劣化指数を取得する劣化指数取得手段を備え、
前記劣化指数取得手段は、前記切断条件データ設定手段により設定された前記カット圧データ又は予め固定値として設定されたカット圧データに依存する値を用いて前記劣化指数を取得するものであることを特徴とする請求項１５から２６のいずれかに記載の切断制御装置。
【請求項２８】
前記カッタの劣化指数を取得する劣化指数取得手段を備え、
その劣化指数取得手段は、前記切断条件データ設定手段により設定された前記カット速度データ又は予め固定値として設定されたカット速度データに依存する値を用いて劣化指数を取得するものであることを特徴とする請求項１５から２７のいずれかに記載の切断制御装置。
【請求項２９】
前記切断条件データ設定手段は、１のカッティングデータ毎に、前記カット圧データ及び／又は前記カット回数データを設定する、あるいは、前記カット圧データ及び／又は前記カット回数データと前記カット速度データとを設定するものであり、前記切断条件データ送信手段は、前記１のカッティングデータ毎に、前記切断条件データ設定手段により設定された該データを付加して、前記カッティング装置へ送信するものであることを特徴とする請求項１５から２８のいずれかに記載の切断制御装置。
【請求項３０】
前記切断条件データ設定手段は、全てのカッティングデータに基づいて、前記カット圧データ及び／又は前記カット回数データを設定する、あるいは、前記カット圧データ及び／又は前記カット回数データと前記カット速度データとを設定するものであり、前記切断条件データ送信手段は、前記全てのカッティングデータを送信する前に、前記切断条件データ設定手段により設定された該データを前記カッティング装置へ送信するものであることを特徴とする請求項１５から２８のいずれかに記載の切断制御装置。
【請求項３１】
前記カッティング装置に有線接続又は無線接続されるコンピュータ端末であることを特徴とする請求項１５から３０のいずれかに記載の切断制御装置。
【発明の詳細な説明】
【技術分野】
【０００１】
本発明は、カッティング装置および切断制御装置に関し、特に、カッタの劣化の度合いに応じた切断条件（カット圧、カット回数、カット速度）を設定することによって１つのカッタの使用寿命を延ばし得るカッティング装置および切断制御装置に関する。
【背景技術】
【０００２】
一般的に、カッタによりシート状対象物（以下、シートと称する。）を切断するカッティングプリンタ又はカッティングプロッタなどのカッティング装置において、カッタは、その使用度合いに伴って劣化が進行し、次第に切れ味が鈍くなる。その結果として、劣化度合いの進行速度は次第に加速し、やがて、カッタの寿命を迎える。
【０００３】
特開２００１−２２５２９８号公報（特許文献１）には、カッタの劣化状態の指標として、記録媒体の切断距離を累積した累積切断距離が複数の予め定められた閾値を越える毎に、切断速度を可変し、それによって、カッタの使用寿命を延ばすことができる画像記録装置が記載されている。また、切断制御テーブルを参照することによって、記録媒体の厚さや堅さや材質などを考慮して、実際の累積切断長を補正することについても記載されている。
【特許文献１】特開２００１−２２５２９８号公報（段落［０００９］，[００３８]，［００４４］等）
【発明の開示】
【発明が解決しようとする課題】
【０００４】
特許文献１に記載されるように、カッタの劣化に応じてカッタの切断速度を制御するのみでは、寿命を延ばすための手段としても不十分であるという問題点があった。
【０００５】
本発明は、上述した問題点を解決するためになされたものであり、カッタの劣化状態に応じて、カット圧、カット回数、カット速度などの種々の切断条件を効果的に設定することによって、カッタの使用寿命をより延ばすことを可能とすることにより、カッタの劣化状態に対してより有効なカッタの刃の延命制御を行うことのできるカッティング装置および切断制御装置を提供することを目的としている。
【課題を解決するための手段】
【０００６】
この目的を達成するために、請求項１記載のカッティング装置は、カットラインに沿ってシートを切断するカッタを備えたものであり、前記カットラインの長さを取得する切断長取得手段と、その切断長取得手段により取得されるカットラインの長さに基づく前記カッタの劣化指数を累積し、累積劣化指数として記憶する劣化指数記憶手段と、その劣化指数記憶手段に記憶された累積劣化指数に応じて、前記シートの切断時におけるカット圧又は前記シートの切断時において１のカットラインに対して実行される切断の回数であるカット回数の少なくとも一方を制御する切断制御手段とを備えている。
【０００７】
この請求項１記載のカッティング装置によれば、カッタにより切断されるカットラインの長さが切断長取得手段により取得されると、その切断長に基づくカッタの劣化指数が累積されて、累積切断長として劣化指数記憶手段に記憶される。そのように劣化指数記憶手段に記憶された累積劣化指数に応じて、該カッタによるシートの切断時におけるカット圧、又は、該カッタによるシートの切断時において１のカットラインに対して実行される切断の回数であるカット回数のうちの少なくとも一方が、切断制御手段により制御される。なお、「劣化指数」とは、カッタの劣化状態の指標をなすものである。
【０００８】
請求項２記載のカッティング装置は、請求項１記載のカッティング装置において、前記カッタの劣化指数を取得する劣化指数取得手段と、前記カッタの下降又は上昇の回数を切断実行回数として取得する切断実行回数取得手段とを備え、前記劣化指数取得手段は、前記切断実行回数取得手段により取得される切断実行回数と前記切断長取得手段により取得されるカットラインの長さとに基づいて、前記劣化指数を取得するものである。
【０００９】
この請求項２記載のカッティング装置によれば、請求項１記載のカッティング装置と同様に作用する上、該カッタの下降又は上昇の回数が、切断実行回数取得手段により切断実行回数として取得され、該劣化指数は、該切断長と該切断実行回数とに基づいて、劣化指数取得手段により取得される。
【００１０】
請求項３記載のカッティング装置は、請求項１又は２記載のカッティング装置において、前記切断制御手段は、前記累積劣化指数に応じて、前記カット圧及び前記カット回数の両方を制御するものである。
【００１１】
請求項４記載のカッティング装置は、請求項１から３のいずれかに記載のカッティング装置において、前記切断制御手段は、前記累積劣化指数に応じて、前記シートの切断時におけるカット速度を制御するものである。
【００１２】
請求項５記載のカッティング装置は、請求項１から４のいずれかに記載のカッティング装置において、前記累積劣化指数と前記カット圧との関数及び／又は前記累積劣化指数と前記カット回数との関数を記憶する条件制御関数記憶手段を備え、前記切断制御手段は、前記条件制御関数記憶手段により記憶される関数に基づいて、前記累積劣化指数に応じた前記カット圧及び／又は前記カット回数を制御するものである。
【００１３】
請求項６記載のカッティング装置は、請求項４記載のカッティング装置において、前記累積劣化指数と前記カット圧との関数及び／又は前記累積劣化指数と前記カット回数との関数と、前記累積劣化指数と前記カット速度との関数とを記憶する条件制御関数記憶手段を備え、前記切断制御手段は、前記条件制御関数記憶手段により記憶される関数に基づいて、前記累積劣化指数に応じた前記カット圧及び／又は前記カット回数と前記カット速度とを制御するものである。
【００１４】
請求項７記載のカッティング装置は、請求項５又は６記載のカッティング装置において、前記条件制御関数記憶手段により記憶される１の関数は、前記累積劣化指数における少なくとも１つの閾値を境界として連続的又は不連続的に変更される複数の関数の組み合わせにより構成されるものである。
【００１５】
請求項８記載のカッティング装置は、請求項１から４のいずれかに記載のカッティング装置において、前記累積劣化指数における少なくとも１つの閾値を記憶する閾値記憶手段と、その閾値記憶手段により記憶される閾値により区切られる各区間に対する定数として設定された前記カット圧及び／又は前記カット回数を記憶する定数記憶手段とを備え、前記切断制御手段は、前記累積劣化指数に基づいて、前記閾値記憶手段により記憶される閾値と前記定数記憶手段により記憶される定数とを参照することによって、前記カット圧及び／又は前記カット回数を制御するものである。
【００１６】
請求項９記載のカッティング装置は、請求項４記載のカッティング装置において、前記累積劣化指数における少なくとも１つの閾値を記憶する閾値記憶手段と、その閾値記憶手段により記憶される閾値により区切られる各区間における定数として設定された前記カット圧及び／又は前記カット回数と、前記閾値記憶手段により記憶される閾値により区切られる各区間における定数として設定された前記カット速度とを記憶する定数記憶手段とを備え、前記切断制御手段は、前記累積劣化指数に基づいて、前記閾値記憶手段により記憶される閾値と前記定数記憶手段により記憶される定数とを参照することによって、前記カット圧及び／又は前記カット回数と前記カット速度とを制御するものである。
【００１７】
請求項１０記載のカッティング装置は、請求項７から９のいずれかに記載のカッティング装置において、前記切断制御手段により、前記カット圧と前記カット回数とが制御される場合、あるいは、前記カット圧及び／又は前記カット回数と前記カット速度とが制御される場合、前記累積劣化指数における閾値が全てに対して共通に設けられている。
【００１８】
請求項１１記載のカッティング装置は、請求項７から９のいずれかに記載のカッティング装置において、前記切断制御手段により、前記カット圧と前記カット回数とが制御される場合、あるいは、前記カット圧及び／又は前記カット回数と前記カット速度とが制御される場合、前記累積劣化指数における閾値がそれぞれ独立して設けられている。
【００１９】
請求項１２記載のカッティング装置は、請求項１から１１のいずれかに記載のカッティング装置において、前記カッタの劣化指数を取得する劣化指数取得手段を備え、その劣化指数取得手段は、前記シートの種類に依存する値を用いて前記劣化指数を取得するものである。
【００２０】
請求項１３記載のカッティング装置は、請求項１から１２のいずれかに記載のカッティング装置において、前記カッタの劣化指数を取得する劣化指数取得手段を備え、その劣化指数取得手段は、前記切断制御手段により制御された前記カット圧又は予め固定値として設定された前記カット圧に依存する値を用いて前記劣化指数を取得するものである。
【００２１】
請求項１４記載のカッティング装置は、請求項１から１３のいずれかに記載のカッティング装置において、前記カッタの劣化指数を取得する劣化指数取得手段を備え、その劣化指数取得手段は、前記切断制御手段により制御された前記カット速度又は予め固定値として設定された前記カット速度に依存する値を用いて前記劣化指数を取得するものである。
【００２２】
請求項１５記載の切断制御装置は、カッタによりシートを切断するカッティング装置と接続され、そのカッティング装置を制御するためのデータを送信することによって、前記シートを所望の形状に切断させるものであって、前記カッタにより切断されるべき線分を規定するカッティングデータに基づいて、前記カッタによる切断長を取得する切断長取得手段と、その切断長取得手段により取得される切断長に基づく前記カッタの劣化指数を累積し、累積劣化指数として記憶する劣化指数記憶手段と、その劣化指数記憶手段に記憶された累積劣化指数に応じて、前記カッティング装置で実行される切断時におけるカット圧を制御するカット圧データ、又は、前記カッティング装置において１のカッティングデータに対して実行させる切断の回数を制御するカット回数データの少なくとも一方を設定する切断条件データ設定手段と、その切断条件データ設定手段により設定された前記カット圧データ及び／又は前記カット回数データを、前記カッティング装置へ送信する切断条件データ送信手段を備えている。
【００２３】
この請求項１５記載の切断制御装置によれば、カッティング装置と接続されており、このカッティング装置に制御データを送信することによって、シートを所望の形状に切断するものであり、該カッタにより切断させるべき線分を規定するカッティングデータに基づいて、該カッタによる切断長が、切断長取得手段により取得されると、その切断長に基づく該カッタの劣化指数が累積されて、累積劣化指数として累積劣化指数記憶手段に記憶される。そのように累積劣化指数記憶手段に記憶された累積劣化指数に応じて、該カッティング装置で実行される切断時におけるカット圧を制御するカット圧データ、又は、前記カッティング装置において１のカッティングデータに対して実行させる切断の回数を制御するカット回数データの少なくとも一方が、切断条件データ設定手段により設定される。そのように設定されたカット圧データ及び／又はカット回数データは、切断条件データ送信手段により、該カッティング装置へ送信される。なお、「劣化指数」とは、カッタの劣化状態の指標をなすものである。
【００２４】
請求項１６記載の切断制御装置は、請求項１５記載の切断制御装置において、前記カッタの劣化指数を取得する劣化指数取得手段と、前記カッタを前記シートへ下ろすよう指示するカッタ下降指示データ、又は、前記カッタを前記シートから上げるよう指示するカッタ上昇指示データを前記カッティング装置へ送信する回数を、切断実行回数として取得する切断実行回数取得手段を備え、前記劣化指数取得手段は、前記切断実行回数取得手段により取得される切断実行回数と前記切断長取得手段により取得される切断長とに基づいて、前記劣化指数を取得するものである。
【００２５】
この請求項１６記載の切断制御装置によれば、請求項１５の切断装置と同様に作用する上、該カッタを前記シートへ下ろすよう指示するカッタ下降指示データ、又は、該カッタを前記シートから上げるよう指示するカッタ上昇指示データを該カッティング装置へ送信する回数が、切断実行回数として取得され、該劣化指数は、該切断長と該切断実行回数とに基づいて、劣化指数取得手段により取得される。
【００２６】
請求項１７記載の切断制御装置は、請求項１５又は１６記載の切断制御装置において、前記切断条件データ設定手段は、前記累積劣化指数に応じて、前記カット圧データ及び前記カット回数データの両方を設定するものである。
【００２７】
請求項１８記載の切断制御装置は、請求項１５から１７のいずれかに記載の切断制御装置において、前記切断条件データ設定手段は、前記累積劣化指数に応じて、前記カッティング装置で実行される切断時におけるカット速度を制御するカット速度設定データを設定するものである。
【００２８】
請求項１９記載の切断制御装置は、請求項１５から１８のいずれかに記載の切断制御装置において、前記累積劣化指数と前記カット圧データとの関数及び／又は前記累積劣化指数と前記カット回数データとの関数を記憶する条件設定関数記憶手段を備え、前記切断条件データ設定手段は、前記条件設定関数記憶手段により記憶される関数に基づいて、前記累積劣化指数に応じた前記カット圧データ及び／又は前記カット回数データを設定するものである。
【００２９】
請求項２０記載の切断制御装置は、請求項１８記載の切断制御装置において、前記累積劣化指数と前記カット圧データとの関数及び／又は前記累積劣化指数と前記カット回数データとの関数と、前記累積劣化指数と前記カット速度データとの関数とを記憶する条件設定関数記憶手段を備え、前記切断条件データ設定手段は、前記条件設定関数記憶手段により記憶される関数に基づいて、前記累積劣化指数に応じた前記カット圧データ及び／又は前記カット回数データと前記カット速度データとをそれぞれ設定するものである。
【００３０】
請求項２１記載の切断制御装置は、請求項１９又は２０記載の切断制御装置において、前記条件設定関数記憶手段により記憶される１の関数は、前記累積劣化指数における少なくとも１つの閾値を境界として連続的又は不連続的に変更される複数の関数の組み合わせにより構成されるものである。
【００３１】
請求項２２記載の切断制御装置は、請求項１５から１８のいずれかに記載の切断制御装置において、前記累積劣化指数における少なくとも１つの閾値を記憶する閾値記憶手段と、その閾値記憶手段により記憶される閾値により区切られる各区間毎に定数データとして設定された前記カット圧データ及び／又は前記カット回数データを記憶する定数データ記憶手段とを備え、前記切断条件データ設定手段は、前記累積劣化指数に基づいて、前記閾値記憶手段により記憶される閾値と前記定数データ記憶手段により記憶される定数データとを参照することによって、前記カット圧データ及び／又は前記カット回数データを設定するものである。
【００３２】
請求項２３記載の切断制御装置は、請求項１８記載の切断制御装置において、前記累積劣化指数における少なくとも１つの閾値を記憶する閾値記憶手段と、その閾値記憶手段により記憶される閾値により区切られる各区間毎に定数データとして設定された前記カット圧データ及び／又はカット回数データと、前記閾値記憶手段により記憶される閾値により区切られる各区間毎に定数データとして設定された前記カット速度データとを記憶する定数データ記憶手段とを備え、前記切断条件データ設定手段は、前記累積劣化指数に基づいて、前記閾値記憶手段により記憶される閾値と前記定数データ記憶手段により記憶される定数データとを参照することによって、前記カット圧データ及び／又は前記カット回数データと前記カット速度とを設定するものである。
【００３３】
請求項２４記載の切断制御装置は、請求項２１から２３のいずれかに記載の切断制御装置において、前記切断条件データ設定手段により、前記カット圧データと前記カット回数データとが設定される場合、あるいは、前記カット圧データ及び／又は前記カット回数データと前記カット速度データとが設定される場合、前記累積劣化指数における閾値が全てに対して共通に設けられている。
【００３４】
請求項２５記載の切断制御装置は、請求項２１から２３のいずれかに記載の切断制御装置において、前記切断条件データ設定手段により、前記カット圧データと前記カット回数データとが設定される場合、あるいは、前記カット圧データ及び／又は前記カット回数データと前記カット速度データとが設定される場合、前記累積劣化指数における閾値がそれぞれ独立して設けられている。
【００３５】
請求項２６記載の切断制御装置は、請求項１５から２５のいずれかに記載の切断制御装置において、前記カッタの劣化指数を取得する劣化指数取得手段を備え、その劣化指数取得手段は、前記カッティング装置において切断されるシートの種類に依存する値を用いて前記劣化指数を取得するものである。
【００３６】
請求項２７記載の切断制御装置は、請求項１５から２６のいずれかに記載の切断制御装置において、前記カッタの劣化指数を取得する劣化指数取得手段を備え、その前記劣化指数取得手段は、前記切断条件データ設定手段により設定された前記カット圧データ又は予め固定値として設定されたカット圧データに依存する値を用いて前記劣化指数を取得するものである。
【００３７】
請求項２８記載の切断制御装置は、請求項１５から２７のいずれかに記載の切断制御装置において、前記カッタの劣化指数を取得する劣化指数取得手段を備え、その劣化指数取得手段は、前記切断条件データ設定手段により設定された前記カット速度データ又は予め固定値として設定されたカット速度データに依存する値を用いて劣化指数を取得するものである。
【００３８】
請求項２９記載の切断制御装置は、請求項１５から２８のいずれかに記載の切断制御装置において、前記切断条件データ設定手段は、１のカッティングデータ毎に、前記カット圧データ及び／又は前記カット回数データを設定する、あるいは、前記カット圧データ及び／又は前記カット回数データと前記カット速度データとを設定するものであり、前記切断条件データ送信手段は、前記１のカッティングデータ毎に、前記切断条件データ設定手段により設定された該データを付加して、前記カッティング装置へ送信するものである。
【００３９】
請求項３０記載の切断制御装置は、請求項１５から２８のいずれかに記載の切断制御装置において、前記切断条件データ設定手段は、全てのカッティングデータに基づいて、前記カット圧データ及び／又は前記カット回数データを設定する、あるいは、前記カット圧データ及び／又は前記カット回数データと前記カット速度データとを設定するものであり、前記切断条件データ送信手段は、前記全てのカッティングデータを送信する前に、前記切断条件データ設定手段により設定された該データを前記カッティング装置へ送信するものである。
【００４０】
請求項３１記載の切断制御装置は、請求項１５から３０のいずれかに記載の切断制御装置において、前記カッティング装置に有線接続又は無線接続されるコンピュータ端末である。
【発明の効果】
【００４１】
請求項１記載のカッティング装置によれば、カッタにより切断されるカットラインの長さに基づく該カッタの劣化指数を累積した累積劣化指数に応じて、シートの切断時のカット圧、又は、シートの切断時において１回のカットラインに対する切断回数であるカット回数のうちのいずれか一方の切断条件が設定されることにより、切断が制御される。よって、カッタの劣化状態に応じて、カット圧及び／又はカット回数が適切に設定できるので、カッタの寿命を効果的に延ばすことができるという効果がある。
【００４２】
請求項２記載のカッティング装置によれば、請求項１記載のカッティング装置の奏する効果に加えて、該カッタの下降又は上昇の回数が切断実行回数として取得され、該カッタの劣化指数は、該切断長と該切断実行回数とに基づいて取得される。よって、劣化指数が複数のパラメータにより設定されるので、その値を累積して得られる累積劣化指数は、カッタの劣化状態をより精度良く反映した値となる。従って、カッタの寿命をより効果的に延ばすことができるという効果がある。
【００４３】
請求項３記載のカッティング装置によれば、請求項１又は２記載のカッティング装置の奏する効果に加えて、累積劣化指数に応じて、カット圧及びカット回数の両方が設定されることにより、切断が制御される。よって、複数の切断条件が設定されるので、設定の自由度が高まる。従って、カッタの寿命をより効果的に延ばすことができるという効果がある。
【００４４】
請求項４記載のカッティング装置によれば、請求項１から３のいずれかに記載のカッティング装置の奏する効果に加えて、累積劣化指数に応じて、シートの切断時におけるカット速度がさらに設定されることにより、切断が制御されるので、さらに設定の自由度が高まり、その結果として、カッタの寿命をより効果的に延ばすことができるという効果がある。
【００４５】
請求項５記載のカッティング装置によれば、請求項１から４のいずれかに記載のカッティング装置の奏する効果に加えて、累積劣化指数とカット圧との関数及び／又は累積劣化指数とカット回数との関数に基づいて、累積劣化指数に応じたカット圧及び／又はカット回数が設定されることにより、切断が制御される。よって、累積劣化指数に応じた切断条件を詳細に設定することができるので、カッタの寿命をより効果的に延ばすことができるという効果がある。
【００４６】
請求項６記載のカッティング装置によれば、請求項４記載のカッティング装置の奏する効果に加えて、累積劣化指数とカット圧との関数及び／又は累積劣化指数とカット回数との関数と、累積劣化指数とカット速度との関数とに基づいて、累積劣化指数に応じたカット圧及び／又はカット回数とカット速度とが設定されることにより、切断が制御される。よって、累積劣化指数に応じた切断条件を詳細に設定することができるので、カッタの寿命をより効果的に延ばすことができるという効果がある。
【００４７】
請求項７記載のカッティング装置によれば、請求項５又は６記載のカッティング装置の奏する効果に加えて、条件制御関数記憶手段により記憶される１の関数は、累積劣化指数における少なくとも１つの閾値を境界として連続的又は不連続的に変更される複数の関数の組み合わせにより構成されるものである。よって、累積劣化指数に応じた切断条件をより詳細に制御でき、その結果として、カッタの寿命をより効果的に延ばすことができるという効果がある。
【００４８】
請求項８記載のカッティング装置によれば、請求項１から４のいずれかに記載のカッティング装置の奏する効果に加えて、累積劣化指数における少なくとも１つの閾値によって区切られる各区間に対し、カット圧及び／又はカット回数が定数として設定されており、累積劣化指数の値の属する範囲に対して設定されている定数が、カット圧及び／又はカット回数として設定され、それによって、切断が制御される。従って、閾値とその閾値に基づいて設定される定数とにより切断条件を設定できるので、装置や制御プログラムを設計開発する上での労力を軽減できるという効果がある。
【００４９】
請求項９記載のカッティング装置によれば、請求項４記載のカッティング装置の奏する効果に加えて、累積劣化指数における少なくとも１つの閾値によって区切られる各区間に対し、カット圧及び／又はカット回数とカット速度とが定数として設定されており、累積劣化指数の値の属する範囲に対して設定されている定数が、カット圧及び／又はカット回数、ならびに、カット速度として設定され、それによって、切断が制御される。従って、閾値とその閾値に基づいて設定される定数とにより切断条件を設定できるので、装置や制御プログラムを設計開発する上での労力を軽減できるという効果がある。
【００５０】
請求項１０記載のカッティング装置によれば、請求項７から９のいずれかに記載のカッティング装置の奏する効果に加えて、累積劣化指数に応じてカット圧とカット回数とが制御される場合、あるいは、累積劣化指数に応じてカット圧及び／又はカット回数とカット速度とが制御される場合において、該閾値が全ての切断条件に対して共通に設けられているので、累積劣化指数に応じた切断条件の設定を簡略化することができる。よって、装置や制御プログラムを設計開発する上での労力を軽減できるという効果がある。
【００５１】
請求項１１記載のカッティング装置によれば、請求項７から９のいずれかに記載のカッティング装置の奏する効果に加えて、累積劣化指数に応じてカット圧とカット回数とが制御される場合、あるいは、累積劣化指数に応じてカット圧及び／又はカット回数とカット速度とが制御される場合において、該閾値が各切断条件に対してそれぞれ独立して設けられているので、複数の切断条件の設定値の組み合わせの自由度がより高くなる。よって、カッタの寿命を延命する上でより効果的な制御を行なうことができるという効果がある。
【００５２】
請求項１２記載のカッティング装置によれば、請求項１から１１のいずれかに記載のカッティング装置の奏する効果に加えて、劣化指数は、シートの種類に依存する値を用いて取得される。よって、取得される劣化指数には、切断されるシートの種類による影響が考慮されているので、その結果として、累積劣化指数は、カッタの劣化状態をより精度良く反映した値となる。従って、カッタの寿命をより効果的に延ばすことができるという効果がある。
【００５３】
請求項１３記載のカッティング装置によれば、請求項１から１２のいずれかに記載のカッティング装置の奏する効果に加えて、劣化指数に応じて設定されたカット圧又は予め固定値として設定されたカット圧に依存する値を用いて、劣化指数を取得する。よって、取得される劣化指数には、切断時のカット圧による影響が考慮されているので、その結果として、累積劣化指数は、カッタの劣化状態をより精度良く反映した値となる。従って、カッタの寿命をより効果的に延ばすことができるという効果がある。
【００５４】
請求項１４記載のカッティング装置によれば、請求項１から１３のいずれかに記載のカッティング装置の奏する効果に加えて、劣化指数に応じて設定されたカット速度又は予め固定値として設定されたカット速度に依存する値を用いて、劣化指数を取得する。よって、取得される劣化指数には、切断時のカット速度による影響が考慮されているので、その結果として、累積劣化指数は、カッタの劣化状態をより精度良く反映した値となる。従って、カッタの寿命をより効果的に延ばすことができるという効果がある。
【００５５】
請求項１５記載の切断制御装置によれば、接続されたカッティング装置のカッタにより切断させるべき線分を規定するカッティングデータに基づいて、該カッタによる切断長が取得され、その切断長に基づく該カッタの劣化指数を累積した累積劣化指数に応じて、シートの切断時のカット圧を設定するためのカット圧データ、又は、シートの切断時において１回のカットラインに対する切断回数であるカット回数を設定するためのカット圧データのうちのいずれか一方の切断条件データが設定され、その設定された切断条件データが該カッティング装置へ送信される。その結果として、該カッティング装置では、カット圧データ及び／又はカット回数データに応じて、カット圧及び／又はカット回数が設定されて、シートの切断が制御される。よって、カッタの劣化状態に応じて、カット圧データ及び／又はカット回数データが適切に設定することができるので、カッタの寿命を効果的に延ばすことができるという効果がある。
【００５６】
請求項１６記載の切断制御装置によれば、請求項１５記載の切断制御装置の奏する効果に加えて、該カッタをシートへ下ろすよう指示するカッタ下降指示データ、又は、該カッタをシートから上げるよう指示するカッタ上昇指示データをカッティング装置へ送信する回数が、切断実行回数として取得され、該カッタの劣化指数は、該切断長と該切断実行回数とに基づいて取得される。よって、劣化指数が複数のパラメータにより設定されるので、その値を累積して得られる累積劣化指数は、カッタの劣化状態をより精度良く反映した値となる。従って、カッタの寿命をより効果的に延ばすことができるという効果がある。
【００５７】
請求項１７記載の切断制御装置によれば、請求項１５又は１６記載の切断制御装置の奏する効果に加えて、累積劣化指数に応じて、カット圧データ及びカット回数データの両方が設定されて、該カッティング装置へ送信される。よって、複数の切断条件データが設定されるので、設定の自由度が高まる。従って、カッタの寿命をより効果的に延ばすことができるという効果がある。
【００５８】
請求項１８記載の切断制御装置によれば、請求項１５から１７のいずれかに記載の切断制御装置の奏する効果に加えて、累積劣化指数に応じて、該カッティング装置で実行される切断時におけるカット速度を制御するカット速度設定データがさらに設定され、該カッティング装置へ送信される。その結果として、該カッティング装置では、カット速度データに応じて、カット速度がさらに設定されて、シートの切断が制御される。よって、さらに設定の自由度が高まり、その結果として、カッタの寿命をより効果的に延ばすことができるという効果がある。
【００５９】
請求項１９記載の切断制御装置によれば、請求項１５から１８のいずれかに記載の切断制御装置の奏する効果に加えて、累積劣化指数とカット圧データとの関数及び／又は累積劣化指数とカット回数データとの関数に基づいて、累積劣化指数に応じたカット圧データ及び／又はカット回数データが設定されて、該カッティングデータへ送信される。よって、累積劣化指数に応じた切断条件データを詳細に設定することができるので、カッタの寿命をより効果的に延ばすことができるという効果がある。
【００６０】
請求項２０記載の切断制御装置によれば、請求項１８記載の切断制御装置の奏する効果に加えて、累積劣化指数とカット圧データとの関数及び／又は累積劣化指数とカット回数データとの関数と、累積劣化指数とカット速度データとの関数とに基づいて、累積劣化指数に応じたカット圧データ及び／又はカット回数データとカット速度データとが設定され、該カッティング装置へ送信される。よって、累積劣化指数に応じた切断条件データを詳細に設定することができるので、カッタの寿命をより効果的に延ばすことができるという効果がある。
【００６１】
請求項２１記載の切断制御装置によれば、請求項１９又は２０記載の切断制御装置の奏する効果に加えて、条件設定関数記憶手段により記憶される１の関数は、累積劣化指数における少なくとも１つの閾値を境界として連続的又は不連続的に変更される複数の関数の組み合わせにより構成されるものである。よって、累積劣化指数に応じた切断条件データをより詳細に制御でき、その結果として、カッタの寿命をより効果的に延ばすことができるという効果がある。
【００６２】
請求項２２記載の切断制御装置によれば、請求項１５から１８のいずれかに記載の切断制御装置の奏する効果に加えて、累積劣化指数における少なくとも１つの閾値によって区切られる各区間に対し、カット圧データ及び／又はカット回数データが定数データとして設定されており、累積劣化指数の値の属する範囲に対して設定されている定数データが、カット圧データ及び／又はカット回数データとして設定され、該カッティング装置へ送信される。よって、閾値とその閾値に基づいて設定される定数データとにより切断条件データを設定できるので、装置や制御プログラムを設計開発する上での労力を軽減できるという効果がある。
【００６３】
請求項２３記載の切断制御装置によれば、請求項１８記載の切断制御装置の奏する効果に加えて、累積劣化指数における少なくとも１つの閾値によって区切られる各区間に対し、カット圧データ及び／又はカット回数データとカット速度データとが定数データとして設定されており、累積劣化指数の値の属する範囲に対して設定されている定数データが、カット圧データ及び／又はカット回数データ、ならびに、カット速度データとして設定され、該カッティング装置へ送信される。よって、閾値とその閾値に基づいて設定される定数データとにより切断条件データを設定できるので、装置や制御プログラムを設計開発する上での労力を軽減できるという効果がある。
【００６４】
請求項２４記載の切断制御装置によれば、請求項２１から２３のいずれかに記載の切断制御装置の奏する効果に加えて、累積劣化指数に応じてカット圧データとカット回数データとが制御される場合、あるいは、累積劣化指数に応じてカット圧データ及び／又はカット回数データとカット速度データとが制御される場合において、該閾値が全ての切断条件データに対して共通に設けられているので、累積劣化指数に応じた切断条件データの設定を簡略化することができる。よって、装置や制御プログラムを設計開発する上での労力を軽減できるという効果がある。
【００６５】
請求項２５記載の切断制御装置によれば、請求項２１から２３のいずれかに記載の切断制御装置の奏する効果に加えて、累積劣化指数に応じてカット圧データとカット回数データとが制御される場合、あるいは、累積劣化指数に応じてカット圧データ及び／又はカット回数データとカット速度データとが制御される場合において、該閾値が各切断条件データに対してそれぞれ独立して設けられているので、複数の切断条件データの設定値の組み合わせの自由度がより高くなる。よって、カッタの寿命を延命する上でより効果的な制御を行なうことができるという効果がある。
【００６６】
請求項２６記載の切断制御装置によれば、請求項１５から２５のいずれかに記載の切断制御装置の奏する効果に加えて、劣化指数は、シートの種類に依存する値を用いて取得される。よって、取得される劣化指数には、該カッティング装置により切断されるシートの種類による影響が考慮されているので、カッタの劣化状態をより精度良く反映した値となる。従って、カッタの寿命をより効果的に延ばすことができるという効果がある。
【００６７】
請求項２７記載の切断制御装置によれば、請求項１５から２６のいずれかに記載の切断制御装置の奏する効果に加えて、劣化指数に応じて設定されたカット圧データ又は予め固定値として設定されたカット圧データに依存する値を用いて、劣化指数を取得する。よって、取得される劣化指数には、該カッティング装置における切断時のカット圧による影響が考慮されているので、カッタの劣化状態をより精度良く反映した値となる。従って、カッタの寿命をより効果的に延ばすことができるという効果がある。
【００６８】
請求項２８記載の切断制御装置によれば、請求項１５から２７のいずれかに記載の切断制御装置の奏する効果に加えて、劣化指数に応じて設定されたカット速度データ又は予め固定値として設定されたカット速度データに依存する値を用いて、劣化指数を取得する。よって、取得される劣化指数には、該カッティング装置における切断時のカット速度による影響が考慮されているので、その結果として、累積劣化指数は、カッタの劣化状態をより精度良く反映した値となる。従って、カッタの寿命をより効果的に延ばすことができるという効果がある。
【００６９】
請求項２９記載の切断制御装置によれば、請求項１５から２８のいずれかに記載の切断制御装置の奏する効果に加えて、累積劣化指数に応じたカット圧データ及び／又はカット回数データの設定、あるいは、累積劣化指数に応じたカット圧データ及び／又はカット回数データとカット速度データの設定は、１のカッティングデータ毎に行なわれ、設定された切断条件データは、１のカッティングデータ毎に該カッティング装置へ送信される。その結果として、該カッティング装置では、１つのカットライン毎に、カット圧及び／又はカット回数、あるいは、カット圧及び／又はカット回数とカット速度とが設定されて、シートの切断が制御される。よって、カットライン毎に適切な切断条件で切断させることができるので、カッタの寿命を効果的に延ばすことができるという効果がある。
【００７０】
請求項３０記載の切断制御装置は、請求項１５から２８のいずれかに記載の切断制御装置の奏する効果に加えて、累積劣化指数に応じたカット圧データ及び／又はカット回数データの設定、あるいは、累積劣化指数に応じたカット圧データ及び／又はカット回数データとカット速度データの設定は、全てのカッティングデータに基づいて行なわれ、設定された切断条件データは、全てのカッティングデータを送信する前に、該カッティング装置へ送信される。よって、カッタの寿命を延ばすための処理を簡略化することができるので、装置及び処理プログラムの設計開発が容易となり、その結果として、切断制御装置の製造が容易になるという効果がある。
【００７１】
請求項３１記載の切断制御装置によれば、請求項１５から３０のいずれかに記載の切断制御装置の奏する効果に加えて、カッティング装置に有線接続又は無線接続されるコンピュータ端末であるので、ユーザが容易に利用可能であるという効果がある。
【発明を実施するための最良の形態】
【００７２】
以下、本発明の好ましい実施例について、添付図面を参照して説明する。図１は、本発明の第１実施例の切断制御装置であるパーソナルコンピュータ５０（ＰＣ５０）及びＰＣ５０に接続されたカッティング装置であるカッティングプリンタ１０の構成を示すブロック図である。この第１実施例のＰＣ５０は、カッティングプリンタ１０へ各種制御データを送信し、それによって、カッティングプリンタ１０において、各種制御データに対応する各種動作が実行される。例えば、ＰＣ５０が切断線データ（請求項におけるカッティングデータに対応）をカッティングプリンタ１０へ送信すると、その切断線データを受信したカッティングプリンタ１０では、その切断線データに従うシートの切断をカッタ（非図示）を用いて実行する。
【００７３】
図１に示すように、ＰＣ５０は、ＣＰＵ５１と、ＲＯＭ５２と、ＲＡＭ５３と、記憶部５４と、このＰＣ５０へデータ又はコマンドを入力するための、キーボード、マウスなどにより構成されている入力部５５と、カッティングプリンタ１０に有線接続又は無線接続するためのインターフェース５６（Ｉ／Ｆ５６）とを備えている。
【００７４】
図１に示すように、ＣＰＵ５１、ＲＯＭ５２、ＲＡＭ５３、記憶部５４、入力部５５、Ｉ／Ｆ５６は、バス６０を介して接続されている。
【００７５】
また、Ｉ／Ｆ５６は、ＵＳＢやイーサネット（登録商標）（Ethernet（登録商標））などの有線又はブルートゥース（Bluetooth（登録商標））や赤外線などの無線によって、カッティングプリンタ１０のＩ／Ｆ１９に接続される。それによって、ＰＣ５０は、カッティングプリンタ１０へ各種制御データを送信し、また、カッティングプリンタ１０から各種データを受信する。ＰＣ５０が、Ｉ／Ｆ５６からカッティングプリンタ１０へ切断線データや印刷データなどの各種制御データを送信することにより、カッティングプリンタ１０におけるシートの切断やシートへの印刷などの各種動作の実行を制御することができる。
【００７６】
ＣＰＵ５１は、このＰＣ５０を総括的に制御する中央演算処理であり、後述する図３，図４，図８，図１０のフローチャートで示す処理を実行するプログラムなどの各種プログラムを実行する。
【００７７】
ＲＯＭ５２は、ＣＰＵ５１により実行される各種制御プログラムや固定値データを記憶する不揮発性のメモリであり、メディア依存係数テーブル５２ａと、カット圧依存関数メモリ５２ｂと、カット速度依存関数メモリ５２ｃと、条件設定関数メモリ５２ｄとを備えている。なお、後述する図３，図４，図８，図１０のフローチャートに示す処理を実行するプログラムは、制御プログラムの一部としてこのＲＯＭ５２に記憶されている。
【００７８】
メディア依存係数テーブル５２ａは、切断距離（後述する切断距離Ｌに相当し、請求項における切断長に対応する）及び切断実行回数（後述する切断実行回数Ｄに対応する）に基づいて、カッタの劣化状態の指標である劣化指数を算出する上で用いられる、シートの種類に応じた補正係数を格納するテーブルである。なお、このメディア依存係数テーブル５２ａの具体的な説明については後述する。
【００７９】
カット圧依存関数メモリ５２ｂは、劣化指数（後述する実効切断距離Ａｌｅｎ）を得るために切断距離（後述する切断距離Ｌ）を補正する係数と切断時にカッタがシートにかける圧力であるカット圧との関数、及び、もう１つの劣化指数（後述する実効切断実行回数Ａｄｏｗｎ）を得るために切断実行回数Ｄを補正する係数と切断時にカッタがシートにかける圧力であるカット圧との関数を記憶するメモリである。なお、このカット圧依存関数メモリ５２ｂに記憶される関数の具体的な説明については後述する。
【００８０】
カット速度依存関数メモリ５２ｃは、劣化指数（後述する実効切断距離Ａｌｅｎ）を得るために切断距離（後述する切断距離Ｌ）を補正する係数と切断時のカッタの移動速度であるカット速度との関数、及び、もう１つの劣化指数（後述する実効切断実行回数Ａｄｏｗｎ）を得るために切断実行回数Ｄを補正する係数と切断時のカッタの移動速度であるカット速度との関数を記憶するメモリである。なお、このカット速度依存関数メモリ５２ｃに記憶される関数の具体的な説明については後述する。
【００８１】
条件設定関数メモリ５２ｄは、カッタの劣化状態の指標である累積劣化指数（後述する累積劣化指数Ａｇｅ）と、カッティングプリンタ１０におけるシートの切断時における切断条件との関数を記憶するメモリである。なお、「切断条件」とは、切断時にカッタがシートにかける圧力であるカット圧、切断時において１の切断線データに従って実行される切断の回数であるカット回数、又は、切断時におけるカッタの移動速度であるカット速度を意味する。
【００８２】
ＲＡＭ５３は、ＣＰＵ５１により実行される各種処理に必要なデータやプログラムを一時的に記憶するためのメモリであり、ＣＰ制御データメモリ５３ａと、カット圧設定メモリ５３ｂと、カット回数設定メモリ５３ｃと、カット速度設定メモリ５３ｄとを備えている。
【００８３】
ＣＰ制御データメモリ５３ａは、カッティングプリンタ１０における切断及び／又は印刷を制御するためのデータ（以下、ＣＰ制御データと称する。）を記憶するメモリである。なお、このＣＰ制御データは、１ファイル毎に、（１）カッティングプリンタ１０において切断されるｎ本の切断線（請求項におけるカットラインに対応）に対応するｎ個切断線データ（請求項におけるカッティングデータに対応）と、（２）切断及び／又は印刷されるシートの種類を設定するシート種類データなどの、カッティングプリンタ１０全体を設定するためのデータと、（３）カッティングプリンタ１０での切断の各設定を行うためのデータと、（４）カッティングプリンタ１０による印刷を制御するための印刷データとにより構成されるものである。ここで、カッティングプリンタ１０での切断の各設定を行うためのデータとしては、例えば、累積劣化指数（後述する、累積劣化指数Ａｇｅ）に応じて可変設定されるのではなく、予め指定された固定値として設定されるカット圧データ、カット回数データ、カット速度データなどが含まれる。
【００８４】
カット圧設定メモリ５３ｂは、カッティングプリンタ１０においてシートを切断する際のカット圧の設定値（請求項におけるカット圧データに対応）を記憶するメモリであり、後述する処理により、カッタに対する累積された劣化指数（後述する累積劣化指数Ａｇｅ）に応じて可変的に設定される値、又は、予め指定された固定値のいずれかが記憶される。なお、「カット圧」とは、シートの切断時にカッタがシートにかける圧力を意味する。また、本明細書中では、カット圧の単位として「ｇｆ」を用いる。
【００８５】
カット回数設定メモリ５３ｃは、カッティングプリンタ１０においてシートを切断する際のカット回数の設定値（請求項におけるカット回数データに対応）を記憶するメモリであり、後述する処理により、カッタに対する累積された劣化指数（後述する累積劣化指数Ａｇｅ）に応じて可変的に設定される値、又は、予め指定された固定値のいずれかが記憶される。なお、「カット回数」とは、１本の切断線データに従って１本の切断線を切断する際に、カッタがその１本の切断線に対して切断した回数を意味するものであり、例えば、カット回数が２回であれば、１本の切断線に対して２回の切断が実行される。
【００８６】
カット速度設定メモリ５３ｄは、カッティングプリンタ１０においてシートを切断する際のカット速度の設定値（請求項におけるカット速度データに対応）を記憶するメモリであり、後述する処理により、カッタに対する累積された劣化指数（後述する累積劣化指数Ａｇｅ）に応じて可変的に設定される値、又は、予め指定された固定値のいずれかが記憶される。なお、「カット速度」とは、シートの切断時にカッタが移動する速度を意味する。また、本明細書中では、カット速度の単位として「ｃｍ／ｓ」を用いる。
【００８７】
記憶部５４は、例えば、ハードディスクやＦｅＲＡＭ（Ferroelectric Random Access Memory）などの書き換え可能な不揮発性メモリであり、劣化指数メモリ５４ａを備えている。
【００８８】
劣化指数メモリ５４ａは、カッティングプリンタ１０におけるカッタの劣化状態の指標である累積劣化指数Ａｇｅの値を記憶するメモリである。なお、カッティングプリンタ１０のカッタが交換されると、この劣化指数メモリ５４ａに記憶される累積劣化指数Ａｇｅの値は「０」に初期化される。
【００８９】
上記のように構成されるＰＣ５０に接続され、このＰＣ５０から送信される各種制御データによって各種動作の制御されるカッティングプリンタ１０は、このカッティングプリンタ１０を総括的に制御する中央演算処理であるＣＰＵ１１と、そのＣＰＵ１１により実行される各種制御プログラムや固定値データを記憶する不揮発性のメモリであるＲＯＭ１２と、ＣＰＵ１１により実行される各種処理に必要なデータやプログラムを一時的に記憶するメモリであるＲＡＭ１３と、シート搬送モータ１５と、キャリッジモータ１６と、カッタ上下駆動ソレノイド１７と、印刷ヘッド１８と、インターフェース１９（Ｉ／Ｆ１９）とを備えている。
【００９０】
図１に示すように、ＣＰＵ１１、ＲＯＭ１２、ＲＡＭ１３、シート搬送モータ１５、キャリッジモータ１６、カッタ上下駆動ソレノイド１７、印刷ヘッド１８、Ｉ／Ｆ１９は、バス２０を介して接続されている。更に、Ｉ／Ｆ１９は、有線接続又は無線接続によって、ＰＣ５０のＩ／Ｆ５６に接続されている。
【００９１】
シート搬送モータ１５は、カッティングプリンタ１０の所定の位置に配置されたシートを上流から下流への方向又はその逆方向に搬送するためのステッピングモータであり、その移動はＣＰＵ１１により制御される。
【００９２】
キャリッジモータ１６は、カッタと印刷ヘッド１８と着脱自在のインクリボンカートリッジ（非図示）とを備えた非図示のキャリッジを、シート搬送モータ１５による搬送方向に対して直交方向に往復移動させるべく駆動するためのステッピングモータであり、その移動はＣＰＵ１１により制御される。
【００９３】
カッタ上下駆動ソレノイド１７は、カッタの刃がシートに当接する下位置と、カッタの刃がシートから離れる上位置とに、カッタを上下動するためのソレノイドであり、その移動はＣＰＵ１１により制御される。
【００９４】
印刷ヘッド１８は、複数の発熱素子（非図示）を備えたサーマルヘッドであり、インクカートリッジのインクリボンを押圧して、ＣＰＵ１１により制御される発熱素子の発熱によってインクリボンを溶融し、所定の文字又は模様を転写するものである。
【００９５】
Ｉ／Ｆ１９は、ＰＣ５０を有線接続又は無線接続するためのインターフェイスであり、カッティングプリンタ１０と、このＩ／Ｆ１８を介して接続されたＰＣ５０とのデータの入出力を制御するものである。
【００９６】
図２は、メディア依存係数テーブル５２ａ、カット圧依存関数メモリ５２ｂに記憶されるカット圧依存関数、カット速度依存関数メモリ５２ｃに記憶されるカット速度依存関数を説明する図である。
【００９７】
図２（ａ）は、メディア依存係数テーブル５２ａを示す図である。図２（ａ）に示すように、メディア依存係数テーブル５２ａでは、切断されるシートの種類毎に係数Ｌｍと係数Ｄｍとが設定されている。図２（ａ）には、シートの種類として、コート紙、合成紙、塩化ビニルシートの場合を例示している。なお、「係数Ｌｍ」は、実際の切断線の長さである切断距離Ｌに基づく劣化指数（後述する実効切断距離Ａｌｅｎ）を算出する上で、シートの種類に応じた補正係数である。また、「係数Ｄｍ」は、カッタを下ろした回数である切断実行回数Ｄに基づく劣化指数（後述する実効切断実行回数Ａｄｏｗｎ）を算出する上で、シートの種類に応じた補正係数である。
【００９８】
図２（ｂ）は、カット圧依存関数を示す図である。図２（ｂ）に示すように、係数Ｌｐ及び係数Ｄｐは、いずれも、カット圧に依存する関数として表されている。なお、「係数Ｌｐ」は、切断距離Ｌに基づく劣化指数（後述する実効切断距離Ａｌｅｎ）を算出する上で、カット圧設定メモリ５３ｂに記憶されているカット圧、即ち、その時点において設定されているカット圧に応じた補正係数である。また、「係数Ｄｐ」は、切断実行回数Ｄに基づく劣化指数（後述する実効切断実行回数Ａｄｏｗｎ）を算出する上で、カット圧設定メモリ５３ｂに記憶されているカット圧に応じた補正係数である。
【００９９】
図２（ｃ）は、カット速度依存関数を示す図である。図２（ｃ）に示すように、係数Ｌｓは、カッタ速度に依存する関数として表される。一方で、係数Ｄｓは、カッタ速度の速さに依存せず一定値となる関数として表されている。なお、「係数Ｌｓ」は、切断距離Ｌに基づく劣化指数（後述する実効切断距離Ａｌｅｎ）を算出する上で、カット速度設定メモリ５３ｄに記憶されているカット圧、即ち、その時点において設定されているカット速度に応じた補正係数である。また、「係数Ｄｓ」は、切断実行回数Ｄに基づく劣化指数（後述する実効切断実行回数Ａｄｏｗｎ）を算出する上で、カット速度設定メモリ５３ｄに記憶されているカット速度に応じた補正係数である。
【０１００】
図２（ａ）〜（ｃ）に示すテーブル又は関数に応じて、実際の切断線の長さである切断距離Ｌが、シートの種類やカット圧やカット速度により補正されて、切断距離Ｌに基づく劣化指数である実効切断距離Ａｌｅｎが算出される。なお、実効切断距離Ａｌｅｎは下記式（１）に従って算出される。  
Ａｌｅｎ＝Ｌ×Ｌｍ×Ｌｐ×Ｌｓ        …（１）
【０１０１】
図２（ａ）に示したメディア依存係数テーブル５２ａによれば、コート紙に対する係数Ｌｍが「１．０」であるのに対して、塩化ビニルシートに対する係数Ｌｍは「１．３」である。即ち、切断時にカッタに対して負荷をかけるものほど、実効切断距離Ａｌｅｎは、実際の切断線の長さである切断距離Ｌより大きな値として見積もられることになる。また、係数Ｌｐは、図２（ｂ）に示すように、カット圧が高いほど、即ち、切断時にカッタに対して負荷をかける場合であるほど、実効切断距離Ａｌｅｎは、実際の切断線の長さである切断距離Ｌより大きな値として見積もられることになる。さらに、係数Ｌｓは、図２（ｃ）に示すように、カット速度が速いほど、即ち、切断時にカッタに対して負荷をかける場合であるほど、実効切断距離Ａｌｅｎは、実際の切断線の長さである切断距離Ｌより大きな値として見積もられることになる。
【０１０２】
同様に、図２（ａ）〜（ｃ）に示すテーブル又は関数に応じて、実際の切断実行回数Ｄが、シートの種類やカット圧やカット速度により補正されて、切断実効回数Ｄに基づく劣化指数である実効切断実行回数Ａｄｏｗｎが算出される。なお、実効切断実行回数Ａｄｏｗｎは下記式（２）に従って算出される。  
Ａｄｏｗｎ＝Ｄ×Ｄｍ×Ｄｐ×Ｄｓ      …（２）
【０１０３】
実効切断実行回数Ａｄｏｗｎもまた、図２（ａ）〜（ｃ）に示すように、シートの種類及びカット圧など、カッタをシートに当接させて入刀した際に、カッタに負荷を掛ける場合であるほど、大きな値として見積もられることになる。
【０１０４】
上記式（１）及び式（２）により算出された実効切断距離Ａｌｅｎ及び実効切断実行回数Ａｄｏｗｎが、下記式（３）に従って加算されることにより、累積劣化指数Ａｇｅが算出される。  
Ａｇｅ←Ａｇｅ＋Ａｌｅｎ＋Ａｄｏｗｎ          …（３）
【０１０５】
上記式（３）は、Ａｇｅ＝Σ（Ａｌｅｎ）＋Σ（Ａｄｏｗｎ）に対応する。即ち、この累積切断長Ａｇｅは、実効切断距離Ａｌｅｎ及び実効切断実効回数Ａｄｏｗｎの総和に等しい値である。
【０１０６】
実効切断距離Ａｌｅｎ及び実効切断実行回数Ａｄｏｗｎはいずれも、カッタの劣化に応じて増大する値なので、式（３）により算出される累積劣化指数Ａｇｅは、その値が大きいほどカッタの劣化状態が進行していることを示す。また、累積劣化指数Ａｇｅを算出するための２つのパラメータである実効切断距離Ａｌｅｎ及び実効切断実行回数Ａｄｏｗｎは、それぞれ、上記のように、シートの種類やカット圧やカット速度による劣化を考慮した値であるので、上記の式（１）〜（３）により、カッタの劣化状態を精度よく推定可能とする累積劣化指数Ａｇｅが算出される。
【０１０７】
次に、図３を参照して、第１実施例のＰＣ５０による切断制御によって、カッティングプリンタ１０におけるカッタの寿命を延命することについて説明する。図３は、ＰＣ５０で実行されるカッティングプリンタ制御処理のフローチャートである。このカッタ寿命延命処理は、カッティングプリンタ１０におけるシートの切断処理及び／又は印刷処理を制御するための処理であり、カッティングプリンタ１０において切断及び／又は印刷を実行するための１ファイルが所定のアプリケーションにより読み込まれた場合に起動する処理である。
【０１０８】
このカッタ寿命延命処理では、まず、カッティングプリンタ１０においてカッタが交換されたか否かを確認し（Ｓ１）、カッタが新しいものに交換されていれば（Ｓ１：Ｙｅｓ）、劣化指数メモリ５４ａを初期化し（Ｓ２）、読み込んだファイルのＣＰ制御データをＣＰ制御データメモリ５３ａに記憶する（Ｓ３）。一方で、Ｓ１の処理により確認した結果、カッタが交換されていなければ（Ｓ１：Ｎｏ）、Ｓ２の処理をスキップして、Ｓ３の処理へ移行する。
【０１０９】
Ｓ３の処理後、ＣＰ制御データメモリ５３ａに記憶されるＣＰ制御データ（切断線データ、カッティングプリンタ１０全体を設定するためのデータ、カッティングプリンタ１０での切断の各設定を行うためのデータ、印刷データ）に従って、各種コマンドを逐次生成し、入力する（Ｓ４）。なお、Ｓ４の処理の結果として、ＣＰ制御データを構成するデータの１つである切断線データからは、１の切断線に対応する１の切断線データ毎に、カット関連コマンドが生成される。この「カット関連コマンド」には、切断線の始点及び終点の座標を指定するためのコマンドであるカッタ移動コマンドと、該始点においてカッタを下降させシートに当接させるためのカッタ下降コマンドと、該終点においてカッタを上昇させるためのコマンドであるカッタ上昇コマンドが含まれる。また、印刷データからは、印刷関連コマンドが生成される。また、カッティングプリンタ１０全体を設定するためのデータや、カッティングプリンタ１０での切断の各設定を行うためのデータからは、対応する各種設定コマンドが生成される。
【０１１０】
Ｓ４の処理後、入力されたコマンドが、カッティングプリンタ１０における全ての処理の終了を指示する終了コマンドであるか否かを確認し（Ｓ５）、終了コマンドでなければ（Ｓ５：Ｎｏ）、入力されたコマンドがカット関連コマンドであるか否かを確認する（Ｓ６）。
【０１１１】
Ｓ６の処理により確認した結果、入力されたコマンドがカット関連コマンドであれば（Ｓ６：Ｙｅｓ）、そのコマンドがカット移動コマンドであるか否かを確認する（Ｓ７）。
【０１１２】
Ｓ７の処理により確認した結果、そのコマンドがカット移動コマンドであれば（Ｓ７：Ｙｅｓ）、カット移動コマンドにより指定される切断線の始点及び終点の座標に基づいて切断距離Ｌを取得する（Ｓ１４）。
【０１１３】
Ｓ１４の処理後、取得した切断距離Ｌの値に基づいて、実効切断距離Ａｌｅｎの値を算出する（Ｓ１５）。なお、Ｓ１５の処理において用いられる実効切断距離Ａｌｅｎの値は、上述した式（１）に基づいて取得されるものであり、その際、係数Ｌｍは、ＣＰ制御データの一部として入力されたシート種類データに基づいて、メディア依存係数テーブル５２ａを参照することによって取得される。また、係数Ｌｐは、カット圧設定メモリ５３ｂに記憶されるカット圧の値に基づいて、カット圧依存関数メモリ５２ｂに記憶される関数を参照することによって取得される。更に、係数Ｌｓは、カット速度設定メモリ５３ｄに記憶されるカット速度の値に基づいて、カット速度依存関数メモリ５２ｃに記憶される関数を参照することによって取得される。Ｓ１５の処理後、Ｓ１２の処理へ移行する。
【０１１４】
一方、Ｓ７の処理により確認した結果、そのコマンドがカット移動コマンドでなければ（Ｓ７：Ｎｏ）、そのコマンドがカッタ下降コマンドであるか否かを確認する（Ｓ８）。
【０１１５】
Ｓ８の処理により確認した結果、そのコマンドがカッタ下降コマンドであれば（Ｓ８：Ｙｅｓ）、切断実行回数Ｄとして「１」を取得し（Ｓ１０）、その切断実行回数Ｄに基づいて、実効切断実行回数Ａｄｏｗｎの値を算出する（Ｓ１１）。
【０１１６】
なお、Ｓ１１の処理において用いられる実効切断実行回数Ａｄｏｗｎの値は、上述した式（２）に基づいて取得されるものであり、その際、係数Ｄｍは、ＣＰ制御データの一部として入力されたシート種類データに基づいて、メディア依存係数テーブル５２ａを参照することによって取得される。また、係数Ｄｐは、カット圧設定メモリ５３ｂに記憶されるカット圧の値に基づいて、カット圧依存関数メモリ５２ｂに記憶される関数を参照することによって取得される。更に、係数Ｄｓは、カット速度設定メモリ５３ｄに記憶されるカット速度の値に基づいて、カット速度依存関数メモリ５２ｃに記憶される関数を参照することによって取得される。Ｓ１１の処理後、Ｓ１２の処理へ移行する。
【０１１７】
Ｓ１２の処理では、劣化指数メモリ５４ａに記憶される累積劣化指数Ａｇｅの値を更新する。具体的には、劣化指数メモリ５４ａに記憶される累積劣化指数Ａｇｅの値に、Ｓ１１の処理により算出された実効切断距離Ａｌｅｎ、又は、Ｓ１５の処理により算出された実効切断回数Ａｄｏｗｎを加算する。このＳ１２の処理は、上述した式（３）に対応するものであり、累積劣化指数Ａｇｅの値は、実効切断距離Ａｌｅｎ又は実効切断実行回数Ａｄｏｗｎによって表されるカッタの劣化指数が順次累積された値として算出される。
【０１１８】
なお、具体的には後述するが、この劣化指数メモリ５４ａに記憶された累積劣化指数Ａｇｅに基づいて、カッティングプリンタ１０における切断条件の設定値が算出される。実効切断距離Ａｌｅｎ及び実効切断実行回数Ａｄｏｗｎは、それぞれがカッタの劣化状態を反映するパラメータであるが、これらの２つのパラメータを、累積劣化指数Ａｇｅという１つのパラメータとすることによって、切断条件の設定が簡略化される。よって、装置及び処理プログラムの設計開発が容易であり、その結果として、上述したような切断制御装置を容易に製造することができる。
【０１１９】
Ｓ１２の処理後、劣化指数メモリ５４ａに記憶される累積劣化指数Ａｇｅの値に応じて、切断時の切断条件を適宜変更することによって、カッタの寿命を延ばす延命制御処理を実行する（Ｓ１３）。なお、この延命制御処理（Ｓ１３）については後述する。
【０１２０】
Ｓ１３の処理後、又は、Ｓ８の処理において、そのコマンドがカッタ下降コマンドでないと確認された場合には（Ｓ８：Ｎｏ）、カッティングプリンタ１０へカット関連コマンドを送信し、それによって、カッティングプリンタ１０におけるシートの切断を制御するためのカッティング制御処理を実行する（Ｓ９）。なお、このカッティング制御処理（Ｓ９）については後述する。
【０１２１】
一方、Ｓ６の処理により確認した結果、入力されたコマンドがカット関連コマンドでなければ（Ｓ６：Ｎｏ）、入力されたコマンドが印刷関連コマンドであるか否かを確認する（Ｓ１６）。Ｓ１６の処理により確認した結果、、印刷関連コマンドであれば（Ｓ１６；Ｙｅｓ）、印刷関連コマンドをカッティングプリンタ１０へ送信する印刷制御処理を実行する（Ｓ１７）。Ｓ１７の結果として、カッティングプリンタ１０では、印刷関連コマンドに従って、キャリッジモータ１６と印字ヘッド１８とが駆動されて、シートに印刷が施される。Ｓ１７の処理後、Ｓ４の処理へ移行し、次のコマンドを生成し、入力する。
【０１２２】
一方、Ｓ１６の処理により確認した結果、入力されたコマンドが印刷関連のコマンドでなければ（Ｓ１６：Ｎｏ）、各処理（Ｓ１８）を実行する。なお、この各処理（Ｓ１８）では、入力された各コマンドに従った処理が実行される。
【０１２３】
例えば、入力されたコマンドが、カット圧、カット回数、カット速度を固定値として設定するためのコマンドであれば、その固定値として設定される値を、カット圧設定メモリ５３ｂ、カット回数設定メモリ５３ｃ、カット速度設定メモリ５３ｄの中で対応するメモリに記憶する。あるいは、カッティングプリンタ１０において実行される処理を指示するコマンドであれば、そのコマンドをカッティングプリンタ１０へ送信する。その結果として、カッティングプリンタ１０では、それらのコマンドに従った処理が実行される。Ｓ１０の処理後、Ｓ４の処理へ移行し、次のコマンドを生成し、入力する。
【０１２４】
このカッティングプリンタ制御処理は、Ｓ５の処理により、入力されたコマンドが終了コマンドであることが確認されるまで、Ｓ６〜Ｓ１８の処理を繰り返して、入力されたコマンドに応じた処理が実行される。Ｓ５の処理により、入力されたコマンドが終了コマンドであることが確認された場合には（Ｓ５：Ｙｅｓ）、その終了コマンドをカッティングプリンタ１０へ送信し（Ｓ１９）、このカッティングプリンタ１０制御処理を終了する。Ｓ１９の処理の結果として、カッティングプリンタ１０では、終了コマンドに従って、全ての処理が終了される。
【０１２５】
次に、図４を参照して、上述した延命制御処理（Ｓ１３）について説明する。図４は、延命制御処理（Ｓ１３）のフローチャートであり、図４（ａ）は、カット圧が累積劣化指数Ａｇｅに応じて設定される場合を示す図であり、図４（ｂ）は、カット回数が累積劣化指数Ａｇｅに応じて設定される場合を示す図であり、図４（ｃ）は、カット速度が累積劣化指数Ａｇｅに応じて設定される場合を示す図である。なお、この延命制御処理（Ｓ１３）により、カット圧、カット回数、カット速度のいずれが累積劣化指数Ａｇｅに応じて可変設定されるかは、予めプログラムによって規定されていてもよいし、ユーザが個々に指定できるように構成されていてもよい。
【０１２６】
カット圧が累積劣化指数Ａｇｅに応じて設定される場合には、図４（ａ）に示すように、まず、劣化指数メモリ５４ａに記憶される現在の累積劣化指数Ａｇｅに基づいて、条件設定関数メモリ５２ｄに記憶される関数を参照して、カット圧をＰ（Ａｇｅ）に設定し（Ｓ１３０１）、そのＰ（Ａｇｅ）の値をカット圧設定メモリ５３ｂに記憶し（Ｓ１３０２）、この延命制御処理（Ｓ１３）を終了する。
【０１２７】
ここで、図５を参照して、Ｓ１３０１の処理において参照される累積劣化指数Ａｇｅとカット圧との関数について説明する。図５は、累積劣化指数Ａｇｅとカット圧との関数の一例を示す図であり、図５（ａ）は、所定の閾値を境界として不連続的に変化する関数であり、図５（ｂ）は、所定の閾値を境界として連続的に変化する関数である。
【０１２８】
再度、図４に戻って説明する。カット回数が累積劣化指数Ａｇｅに応じて設定される場合には、図４（ｂ）に示すように、まず、劣化指数メモリ５４ａに記憶される現在の累積劣化指数Ａｇｅに基づいて、条件設定関数メモリ５２ｄに記憶される関数を参照して、カット回数をＣ（Ａｇｅ）に設定し（Ｓ１３１１）、そのＣ（Ａｇｅ）の値をカット回数設定メモリ５３ｃに記憶し（Ｓ１３１２）、この延命制御処理（Ｓ１３）を終了する。
【０１２９】
Ｓ１３１１の処理において、カット回数Ｃ（Ａｇｅ）を、累積劣化指数Ａｇｅに基づいて設定する際には、図６に示すような、条件設定関数メモリ５２ｄに記憶される関数が参照される。なお、図６は、条件設定関数メモリ５２ｄに記憶される、累積劣化指数Ａｇｅとカット回数との関数の一例を示す図である。
【０１３０】
再度、図４に戻って説明する。カット速度が累積劣化指数Ａｇｅに応じて設定される場合には、図４（ｃ）に示すように、まず、劣化指数メモリ５４ａに記憶される現在の累積劣化指数Ａｇｅに基づいて、条件設定関数メモリ５２ｄに記憶される関数を参照して、カット回数をＳ（Ａｇｅ）に設定し（Ｓ１３２１）、そのＳ（Ａｇｅ）の値をカット速度設定メモリ５３ｄに記憶し（Ｓ１３２２）、この延命制御処理（Ｓ１３）を終了する。
【０１３１】
ここで、図７を参照して、Ｓ１３２１において参照される累積劣化指数Ａｇｅとカット速度との関数について説明する。図７は、累積劣化指数Ａｇｅとカット速度との関数の一例を示す図であり、図７（ａ）は、所定の閾値を境界として不連続的に変化する関数であり、図７（ｂ）は、所定の閾値を境界として連続的に変化する関数である。
【０１３２】
上記図４〜図７に示すように、切断条件の設定値は、累積劣化指数Ａｇｅと切断条件との関数に基づいて得られるので、累積劣化指数Ａｇｅに応じた切断条件を詳細に制御できる。その結果として、カッタの寿命をより効果的に延ばすことができる。
【０１３３】
また、累積劣化指数Ａｇｅとカットの関数が、閾値を境界として連続的又は不連続的に変更される複数の関数の組み合わせによって構成される。よって、累積劣化指数Ａｇｅに応じた切断条件をより詳細に制御でき、その結果として、カッタの寿命をより効果的に延ばすことができる。特に、図５（ｂ）及び図７（ｂ）に示すような、所定の閾値を境界として連続的に変化する関数を用いた場合には、カット圧をより精密に制御することが可能となる。なお、累積劣化指数Ａｇｅと切断条件との関数が複数の関数の組み合わせにより構成される場合、それらの複数の関数は、全てが閾値を境界として連続する形状であっても良いし、全てが閾値を境界として不連続である形状であってもよいし、閾値毎に連続する部分と不連続になる部分とが組み合わされた形状であってもよい。
【０１３４】
次に、図８を参照して、上述した延命制御処理（Ｓ１３）について更に説明する。図８は、複数の切断条件を設定する場合における延命制御処理（Ｓ１３）のフローチャートであり、図８（ａ）は、カット圧とカット回数とが累積劣化指数Ａｇｅに応じて設定される場合を示す図であり、図８（ｂ）は、カット圧とカット速度とが累積劣化指数Ａｇｅに応じて設定される場合を示す図であり、図８（ｃ）は、カット回数とカット速度とが累積劣化指数Ａｇｅに応じて設定される場合を示す図であり、図８（ｄ）は、カット圧とカット回数とカット速度とが、累積劣化指数Ａｇｅに応じて設定される場合を示す図である。
【０１３５】
カット圧及びカット回数の２つの切断条件が、累積劣化指数Ａｇｅに応じて設定される場合には、図８（ａ）に示すように、まず、劣化指数メモリ５４ａに記憶される現在の累積劣化指数Ａｇｅに基づいて、条件設定関数メモリ５２ｄに記憶される関数を参照して、カット圧をＰ（Ａｇｅ）に設定し（Ｓ１３３１）、そのＰ（Ａｇｅ）の値をカット圧設定メモリ５３ｂに記憶し（Ｓ１３３２）、次いで、累積劣化指数Ａｇｅに基づいて、条件設定関数メモリ５２ｄに記憶される関数を参照して、カット回数をＣ（Ａｇｅ）に設定し（Ｓ１３３３）、そのＣ（Ａｇｅ）の値をカット回数設定メモリ５３ｃに記憶し（Ｓ１３３４）、この延命制御処理（Ｓ１３）を終了する。
【０１３６】
また、カット圧及びカット速度の２つの切断条件が、累積劣化指数Ａｇｅに応じて設定される場合には、図８（ｂ）に示すように、まず、劣化指数メモリ５４ａに記憶される現在の累積劣化指数Ａｇｅに基づいて、条件設定関数メモリ５２ｄに記憶される関数を参照して、カット圧をＰ（Ａｇｅ）に設定し（Ｓ１３４１）、そのＰ（Ａｇｅ）の値をカット圧設定メモリ５３ｂに記憶し（Ｓ１３４２）、次いで、累積劣化指数Ａｇｅに基づいて、条件設定関数メモリ５２ｄに記憶される関数を参照して、カット速度をＳ（Ａｇｅ）に設定し（Ｓ１３４３）、そのＳ（Ａｇｅ）の値をカット速度設定メモリ５３ｄに記憶し（Ｓ１３４４）、この延命制御処理（Ｓ１３）を終了する。
【０１３７】
更に、カット回数及びカット速度の２つの切断条件が、累積劣化指数Ａｇｅに応じて設定される場合には、図８（ｃ）に示すように、まず、劣化指数メモリ５４ａに記憶される現在の累積劣化指数Ａｇｅに基づいて、条件設定関数メモリ５２ｄに記憶される関数を参照して、カット回数をＣ（Ａｇｅ）に設定し（Ｓ１３５１）、そのＣ（Ａｇｅ）の値をカット回数設定メモリ５３ｃに記憶し（Ｓ１３５２）、次いで、累積劣化指数Ａｇｅに基づいて、条件設定関数メモリ５２ｄに記憶される関数を参照して、カット速度をＳ（Ａｇｅ）に設定し（Ｓ１３５３）、そのＳ（Ａｇｅ）の値をカット速度設定メモリ５３ｄに記憶し（Ｓ１３５４）、この延命制御処理（Ｓ１３）を終了する。
【０１３８】
加えて、カット圧、カット回数、及び、カット速度の３つの切断条件がいずれも、累積劣化指数Ａｇｅに応じて設定される場合には、図８（ｃ）に示すように、まず、劣化指数メモリ５４ａに記憶される現在の累積劣化指数Ａｇｅに基づいて、条件設定関数メモリ５２ｄに記憶される関数を参照して、カット圧をＰ（Ａｇｅ）に設定し（Ｓ１３６１）、そのＰ（Ａｇｅ）の値をカット圧設定メモリ５３ｂに記憶する（Ｓ１３６２）。次いで、累積劣化指数Ａｇｅに基づいて、条件設定関数メモリ５２ｄに記憶される関数を参照して、カット回数をＣ（Ａｇｅ）に設定し（Ｓ１３６３）、そのＣ（Ａｇｅ）の値をカット回数設定メモリ５３ｃに記憶する（Ｓ１３６４）。Ｓ１３６４の処理後、累積劣化指数Ａｇｅに基づいて、条件設定関数メモリ５２ｄに記憶される関数を参照して、カット速度をＳ（Ａｇｅ）に設定し（Ｓ１３６５）、そのＳ（Ａｇｅ）の値をカット速度設定メモリ５３ｄに記憶し（Ｓ１３６６）、この延命制御処理（Ｓ１３）を終了する。
【０１３９】
図８（ａ）〜（ｄ）に示すように、切断条件であるカット圧、カット回数、又は、カット速度のうちの複数の切断条件について、累積劣化指数Ａｇｅに応じた値を設定することにより、カッタの寿命を延ばすためにより適切な組み合わせで各切断条件の設定値を設定することができる。その結果として、より効果的にカッタの寿命を延ばすことができる。
【０１４０】
ここで、図９を参照して、図８（ａ）〜（ｄ）に示した各場合において、複数の切断条件を設定するために参照される条件設定関数メモリ５２ｄに記憶される関数について説明する。図９は、累積劣化指数Ａｇｅに基づいて複数の切断条件を設定する場合を説明する図であるり、図８（ａ）に示した延命制御処理において用いられる関数の一例である。
【０１４１】
図９に示すように、カット圧と累積劣化指数Ａｇｅとの関数及びカット回数と累積劣化指数Ａｇｅとの関数は、いずれも、累積劣化指数Ａｇｅにおける２つの値「１０×１０６」及び「１５×１０６」を共通する閾値として、これらの閾値を境界として異なる関数に順次変更される。即ち、図９における下側に示すカット圧と累積劣化指数Ａｇｅとの関数は、Ｐ（Ａｇｅ）＝５０（０≦Ａｇｅ＜１０×１０６）、Ｐ（Ａｇｅ）＝７５（１０×１０６≦Ａｇｅ＜１５×１０６）、Ｐ（Ａｇｅ）＝５０（１５×１０６≦Ａｇｅ＜２０×１０６）、Ｐ（Ａｇｅ）＝７５（２０×１０６≦Ａｇｅ）という４つの関数を組み合わせたものである。一方で、図９における上側に示すカット回数と累積劣化指数Ａｇｅとの関数は、Ｃ（Ａｇｅ）＝１（０≦Ａｇｅ＜１５×１０６）、Ｃ（Ａｇｅ）＝２（１５×１０６≦Ａｇｅ）という２つの関数を組み合わせたものである。
【０１４２】
図９に示すように、累積劣化指数Ａｇｅによって複数の切断条件を設定する場合に、それぞれの関数に設けらえた閾値を共通化することによって、複数の切断条件を設定するための処理が簡略化されるので、装置及び処理プログラムの設計開発が容易になる。
【０１４３】
なお、累積劣化指数Ａｇｅに応じて複数の切断条件を制御する場合、各関数について、それぞれ、個別に独立した閾値を設けるように構成してもよい。各関数毎に独立した閾値を設けることによって、設定される複数の切断条件の組み合わせの自由度が高くなり、カッタの寿命を延命する上で、より適切な組み合わせで切断条件を設定することができる。
【０１４４】
次に、図１０を参照して、上述したように設定された切断条件により、カッティングプリンタ１０における切断を制御する処理について説明する。図１０は、カッティング制御処理（Ｓ９）のフローチャートである。このカッティング制御処理（Ｓ９）では、まず、処理すべきコマンドがカット移動コマンドか否かを確認し（Ｓ９０１）、カット移動コマンドであれば（Ｓ９０１：Ｙｅｓ）、このカット移動コマンドに、カット圧設定メモリ５３ｂとカット回数設定メモリ５３ｃとカット速度設定メモリ５３ｄとに記憶される各設定値を付加し、カッティングプリンタ１０へ送信し（Ｓ９０２）、このカッティング処理（Ｓ９）を終了する。
【０１４５】
Ｓ９０２の処理の結果として、カッティングプリンタ１０では、カット移動コマンドに含まれる座標により規定される線分が切断線として設定され、その切断線の切断時におけるカット圧とカット回数とカット速度とが、それぞれ、カット圧設定メモリ５３ｂとカット回数設定メモリ５３ｃとカット速度設定メモリ５３ｄとに記憶される各設定値に基づいて制御される。
【０１４６】
上述した延命制御処理（Ｓ１３）により、所定の切断条件については、カッタの累積劣化指数Ａｇｅに応じて、カッタを延命するのに適切な切断条件の値が設定され、その値が、カット圧設定メモリ５３ｂ、カット回数設定メモリ５３ｃ、カット速度設定メモリ５３ｄの中の対応するメモリに記憶されている。従って、Ｓ９０２の処理の結果としてカッティングプリンタ１０で実行されるシートの切断は、カッタを延命するのに適切な値で実行される。
【０１４７】
なお、延命制御処理（Ｓ１３）によって設定されない切断条件については、カッティング制御処理の各処理（Ｓ１８）において、固定値が対応するメモリに記憶されているので、その値が用いられる。例えば、図４（ａ）に示すように、カット圧のみが延命制御処理（Ｓ１３）により設定される場合には、カット回数及びカット速度は、それぞれ、カット回数設定メモリ５３ｃ及びカット速度設定メモリ５３ｄに予め指定された固定値が記憶されているので、その値が用いられる。
【０１４８】
一方で、Ｓ９０１の処理により確認した結果、カット移動コマンドでなく、カット下降コマンドやカット上昇コマンドなどの他のコマンドであれば（Ｓ９０１：Ｎｏ）、それらのコマンドをカッティングプリンタ１０へ送信し（Ｓ９０３）、このカッティング制御処理（Ｓ９）を終了する。
【０１４９】
カッティング制御処理（Ｓ９）により、１つのカット関連コマンドが、カッティングプリンタ１０へ全て送信されると、カッティングプリンタ１０において、カッタ上下駆動ソレノイド１７によりカッタを、その切断線データに対応する切断線の始点に当接させ、キャリッジモータ１６によりカッタを主走査方向へ移動させ、シート搬送モータ１５によりシートを副走査方向へ搬送させることにより、切断線データに対応する切断線の切断が実行される。また、その切断における切断条件は、その切断線データに付加された各設定値に従って制御される。
【０１５０】
カッティングプリンタ１０では、１本の切断線データ毎に、Ｓ９０２の処理の結果として設定されたカッタを延命するのに適切な値での切断が実行されるので、より効果的にカッタの寿命を延ばすことができる。
【０１５１】
以上説明したように、この第１実施例の切断制御装置（ＰＣ５０）によれば、カッタの劣化状態の指標である累積劣化指数Ａｇｅを算出し、その累積劣化指数Ａｇｅに応じて、カッティングプリンタ１０における切断条件であるカット圧、カット回数、カット速度が適切に制御されるので、該カッタの寿命を効果的に延ばすことができる。
【０１５２】
また、切断条件を制御するために用いられる累積劣化指数Ａｇｅは、切断線の長さである切断距離Ｌとカッタをシートに下ろして当接した回数である切断実行回数Ｄとの複数のパラメータに基づいて算出されるので、切断条件を制御する上で、カッタの劣化状態を精度良く反映させることができる。
【０１５３】
更に、累積劣化指数Ａｇｅは、実効切断距離Ａｌｅｎと実効切断実効回数Ａｄｏｗｎとの総和として算出される。ここで、実効切断距離Ａｌｅｎは、切断距離Ｌがシート種類やカット圧やカット速度に応じて適切に補正されて得られたカッタの劣化指数であり、一方、実効切断実行回数Ａｄｏｗｎは、切断実行回数Ｄがシート種類やカット圧やカット速度に応じて適切に補正されて得られたカッタの劣化指数である。よって、よりカッタの劣化状態を精度良く反映した累積劣化指数Ａｇｅを算出することができ、そのような累積劣化指数Ａｇｅによって切断条件が制御されることにより、カッタの寿命をより効果的に延ばすことができる。
【０１５４】
加えて、累積劣化指数Ａｇｅと切断条件との関数を参照し、算出された累積劣化指数Ａｇｅに基づいて切断条件の設定値を得るので、累積劣化指数Ａｇｅに応じた切断条件を詳細に制御できる。
【０１５５】
次に、図１１及び図１２を参照して、切断制御装置であるＰＣ５０によるカッティングプリンタ１０の切断制御の第２実施例ついて説明する。上述した第１実施例では、切断制御装置であるＰＣ５０は、切断距離Ｌ及び切断実行回数Ｄに基づいて取得された累積劣化指数Ａｇｅに基づいて、所定の関数を参照することによって、カット圧、カット回数、カット速度のような切断条件をカッタの寿命を延ばすのに適切な値に変更させた。
【０１５６】
これに対して、第２実施例の切断制御装置であるＰＣ５０は、累積劣化指数Ａｇｅが所定の閾値を超える毎に、切断条件（カット圧、カット回数、カット速度）を予め規定された値に変更させることによって、カッタの寿命の延命を図る。なお、この第２実施例において、上述した第１実施例と同一の部分には同一の符号を付して、その説明は省略する。
【０１５７】
図１１（ａ）は、第２実施例のＰＣ５０におけるＲＯＭ５２の構成を示す図であり、この第２実施例のＲＯＭ５２は、上述した第１実施例におけるＰＣ５０のＲＯＭ５２の構成要素の１つであった、条件設定関数メモリ５２ｄの代わりに、閾値を記憶する閾値メモリ５２ｅと、その閾値メモリ５２ｅに記憶される閾値により区切られる各区間毎に対して設定される定数データを記憶する切断条件設定値テーブル５２ｆとを備えている。
【０１５８】
図１１（ｂ）は、閾値メモリ５２ｅを説明する図である。図１１（ｂ）に示す例によれば、閾値メモリ５２ｅには、第１の閾値である「Ｌｉｆｅ１」に対応する累積劣化指数Ａｇｅの値として、「１０×１０６」が設定されている。また、第２の閾値である「Ｌｉｆｅ２」に対応する累積劣化指数Ａｇｅの値として、「１５×１０６」が設定されている。
【０１５９】
図１１（ｃ）は、切断条件設定値テーブル５２ｆを説明する図である。図１１（ｃ）に示す例によれば、累積劣化指数Ａｇｅが「０≦Ａｇｅ＜Ｌｉｆｅ１」の範囲にある場合に対応するカット圧として、「５０（ｇｆ）」が設定され、カット回数として「１」が設定されている。また、累積劣化指数Ａｇｅが「Ｌｉｆｅ１≦Ａｇｅ＜Ｌｉｆｅ２」の範囲にある場合に対応するカット圧として、「７５（ｇｆ）」が設定され、カット回数として「２」が設定されている。さらに、累積劣化指数Ａｇｅが「Ｌｉｆｅ２≦Ａｇｅ」の範囲にある場合に対応するカット圧として、「１００（ｇｆ）」が設定され、カット回数として「３」が設定されている。
【０１６０】
上記のように構成されたＲＯＭ５２を有するＰＣ５０は、上述した第１実施例のカッティングプリンタ制御処理（図３参照）において、延命制御処理（Ｓ１３）以外は同様の処理を実行し、それによって、カッティングプリンタ１０を制御する。
【０１６１】
図１２は、第２実施例で実行される延命制御処理（Ｓ１３）のフローチャートである。図１２に示す延命制御処理（Ｓ１３）では、まず、劣化指数メモリ５４ａに記憶される累積劣化指数Ａｇｅの値が閾値メモリ５２ｅに記憶される閾値のうちのいずれかを超えたか否かを確認する（Ｓ１３６１）。Ｓ１３６１の処理では、例えば、閾値メモリ５２ｅに、上述した図１１（ｂ）に示したような閾値が設定されている場合には、累積劣化指数Ａｇｅが、Ｌｉｆｅ１として設定されている「１０×１０６」、又は、Ｌｉｆｅ２として設定されている「１５×１０６」を越えたか否かを確認する。
【０１６２】
Ｓ１３６１の処理により、劣化指数メモリ５４ａに記憶される累積劣化指数Ａｇｅが閾値を越えたことが確認された場合（Ｓ１３６１：Ｙｅｓ）、具体的には、劣化指数メモリ５４ａに記憶される累積劣化指数ＡｇｅがＬｉｆｅ１又はＬｉｆｅ２のいずれかを越えたことが確認された場合には、切断制御設定値テーブル５２ｆを参照して、カット圧を、次の区間に対して設定されている設定値として、カット圧設定メモリ５３ｂを更新する（Ｓ１３６２）。Ｓ１３６２の処理では、例えば、累積劣化指数Ａｇｅの値がＬｉｆｅ２を越えた場合に、切断制御設定値テーブル５２ｆに記憶される設定値に従って、カット圧設定メモリ５３ｂに記憶されている値を「５０（ｇｆ）」から「７５（ｇｆ）」に更新する。なお、刃の交換がなされて、劣化指数メモリ５４ａが初期化された場合もまた、Ｓ１３６１からＳ１３６２の処理へ移行するものとし、それによって、カット圧設定メモリ５３ｂに「５０（ｇｆ）」が記憶される。
【０１６３】
Ｓ１３６２の処理後、切断制御設定値テーブル５２ｆを参照して、カット回数を、次の区間に対して設定されている設定値として、カット回数設定メモリ５３ｃを更新する（Ｓ１３６３）し、この延命制御処理（Ｓ１３）を終了する。Ｓ１３６３の処理では、例えば、累積劣化指数Ａｇｅの値がＬｉｆｅ１を越えた場合に、切断制御設定値テーブル５２ｆに記憶される設定値に従って、カット回数設定メモリ５３ｃに記憶されている値を「１」から「２」に更新する。
【０１６４】
一方、Ｓ１３６１の処理により確認した結果、累積劣化指数Ａｇｅが閾値を越えない場合には（Ｓ１３６１：Ｎｏ）、カット圧設定メモリ５３ｂ及びカット回数設定メモリ５３ｃに記憶されている値を変更する必要がないので、Ｓ１３６２〜Ｓ１３６３の処理をスキップして、この延命制御処理（Ｓ１３）を終了する。
【０１６５】
以上説明したように、この第２実施例によれば、切断制御装置（ＰＣ５０）において実行されるカッタの寿命を延ばすための延命制御処理として、予め規定された累積劣化指数Ａｇｅの閾値を越える毎に、切断条件の値が該閾値により区切られた区間毎に設定されている設定値に変更させる。よって、装置及び処理プログラムの設計開発が容易であり、その結果として、上述したような切断制御装置を容易に製造することができる。
【０１６６】
次に、図１３を参照して、本発明の第３実施例及び第４実施例について説明する。上記第１実施例及び第２実施例は、切断制御装置としてのＰＣ５０において、カッタの寿命を延ばすための制御処理（延命制御処理）を実行させるものであった。これに対して、第３実施例では、カッティングプリンタ１０において、延命制御処理を実行させる。
【０１６７】
図１３は、第３実施例のカッティングプリンタ１０の構成を示すブロック図である。なお、この第３実施例及び第４実施例において、上述した第１実施例及び第２実施例と同一の部分には同一の符号を付して、その説明は省略する。
【０１６８】
第３実施例及び第４実施例のカッティングプリンタ１０は、上述した第１実施例のカッティングプリンタ１０と同様に、切断線データに基づくシートの切断及び／又はシート上への印刷を実行する装置である。第３実施例及び第４実施例のカッティングプリンタ１０は、図１３に示すように、ＣＰＵ１１と、ＲＯＭ１２と、ＲＡＭ１３と、シート搬送モータ１５と、キャリッジモータ１６と、カッタ上下駆動ソレノイド１７と、印刷ヘッド１８と、インターフェース１９（Ｉ／Ｆ１９）とを備えている。また、図１３に示すように、ＣＰＵ１１、ＲＯＭ１２、ＲＡＭ１３、シート搬送モータ１５、キャリッジモータ１６、カッタ上下動駆動ソレノイド１７、印刷ヘッド１８、Ｉ／Ｆ１９は、バスライン２１を介して接続されている。更に、Ｉ／Ｆ１９は、有線接続又は無線接続によって、ＰＣ５０に設けられたインターフェイスを介して、ＰＣ５０に接続されている。
【０１６９】
ＲＯＭ１２は、メディア依存係数テーブル１２ａと、カット圧依存関数メモリ１２ｂと、カット速度依存関数メモリ１２ｃと、条件設定関数メモリ５２ｄと、閾値メモリ５２ｅと、切断条件設定値テーブル５２ｆとを備えている。
【０１７０】
メディア依存係数テーブル１２ａは、上記第１実施例において説明したメディア依存係数テーブル５２ａと同様に、シートの種類に応じた係数Ｌｍ及び係数Ｄｍの値が格納されたテーブルである。なお、メディア依存係数テーブル１２ａは、図２（ａ）に示したメディア依存係数テーブル５２ａと同様の構成を有する。
【０１７１】
カット圧依存関数メモリ１２ｂは、上記第１実施例において説明したカット圧依存関数メモリ５２ｂと同様に、係数Ｌｐとカット圧との関数、及び、係数Ｄｐとカット圧との関数を記憶するメモリである。なお、これらの係数Ｌｐ又は係数Ｄｐとカット圧との関数は、図２（ｂ）を参照して上述した通りである。ただし、係数Ｌｐ又は係数Ｄｐを得るために参照するカット圧は、カット圧設定メモリ１３ｂに記憶される値である。
【０１７２】
カット速度依存関数メモリ１２ｃは、上記第１実施例において説明したカット速度依存関数メモリと同様に、係数Ｌｓとカット圧との関数、及び、係数Ｄｓとカット圧との関数を記憶するメモリである。なお、これらの係数Ｌｓ又は係数Ｄｓとカット圧との関数は、図２（ｃ）を参照して上述した通りである。ただし、係数Ｌｓ又は係数Ｄｓを得るために参照するカット速度は、カット速度設定メモリ１３ｃに記憶される値である。
【０１７３】
条件設定関数メモリ１２ｄは、上記第１実施例において説明した条件設定関数メモリ５２ｄと同様に、カッタの劣化状態の指標である累積劣化指数Ａｇｅと、カッティングプリンタ１０におけるシートの切断時における切断条件（カット圧、カット速度、カット回数）との関数を記憶するメモリである。なお、条件設定関数メモリ１２ｄには、第１実施例と同様に、累積劣化指数Ａｇｅに応じて可変設定されるべき切断条件の関数が必要に応じて記憶されており、その関数は、例えば、図５〜図７、図９を参照して上述した通りである。
【０１７４】
閾値メモリ１２ｅは、上記第２実施例において説明した閾値メモリ５２ｅと同様に、閾値を記憶するメモリである。なお、閾値メモリ１２ｅは、図１１（ｂ）に示した閾値メモリ５２ｅと同様の構成を有する。
【０１７５】
切断条件設定値テーブル１２ｆは、上記第２実施例において説明した切断条件設定値テーブル５２ｆと同様に、閾値メモリ１２ｅに記憶される閾値により区切られる各区間毎に対して設定される定数データを記憶するメモリである。なお、切断条件設定値テーブル１２ｆは、図１１（ｃ）に示した切断条件設定値テーブル５２ｆと同様の構成を有する。
【０１７６】
なお、条件関数メモリ１２ｄは、第３実施例のカッティングプリンタ１０に備えられていればよく、第４実施例では特に備えられている必要はない。一方で、閾値メモリ１２ｅ及び切断条件設定値テーブル１２ｆは、第４実施例のカッティングプリンタ１０に備えられていればよく、第３実施例では特に備えられている必要はない。
【０１７７】
ＲＡＭ１３は、ＣＰ制御データメモリ１３ａと、カット圧設定メモリ１３ｂと、カット回数設定メモリ１３ｃと、カット速度設定メモリ１３ｄとを備えている。
【０１７８】
ＣＰ制御データメモリ１３ａは、上記第１実施例において説明したＣＰ制御データメモリ５３ａと同様に、ファイル単位のＣＰ制御データを記憶するメモリである。また、カット圧設定メモリ１３ｂは、上記第１実施例において説明したカット圧設定メモリ５３ｂと同様に、カット圧の設定値を記憶するメモリである。また、カット回数設定メモリ１３ｃは、上記第１実施例において説明したカット回数設定メモリ５３ｃと同様に、カット回数の設定値を記憶するメモリである。また、カット速度設定メモリ１３ｄは、上記第１実施例において説明したカット速度設定メモリ５３ｄと同様に、カット速度の設定値を記憶するメモリである。
【０１７９】
記憶部１４は、例えば、ハードディスクやＦｅＲＡＭなどの書き換え可能な不揮発性メモリであり、劣化指数メモリ１４ａを備えている。
【０１８０】
劣化指数メモリ１４ａは、上記第１実施例と同様に、切断距離Ｌに基づいて算出された劣化指数である実効切断距離Ａｌｅｎと切断実行回数Ｄに基づいて算出された劣化指数である実効切断実効回数Ａｄｏｗｎとを累積することにより得られる累積劣化指数Ａｇｅの値を記憶するメモリである。また、カッティングプリンタ１０のカッタが交換されると、この劣化指数メモリ５４ａに記憶される累積劣化指数Ａｇｅの値は「０」に初期化される。
【０１８１】
上述のように構成されたカッティングプリンタ１０における第３実施例のカッティングプリンタ制御処理について説明する。上述した第１実施例では、カッティングプリンタ制御処理（図３）を、切断制御装置であるＰＣ５０で実行するように構成されるものであった。これに対して、第３実施例では、この第１実施例のカッティングプリンタ制御処理を、ＰＣ５０に換えて、カッティングプリンタ１０により実行するように構成したものである。
【０１８２】
ただし、第３実施例のカッティングプリンタ制御処理では、上述した第１実施例のカッティングプリンタ制御処理（図３）において、各値を読み出すためにＰＣ５０に設けられたテーブル又はメモリ、あるいは、処理中に生成される各値を記憶するためにＰＣ５０に設けられたメモリ又はカウンタを、図１３に示したカッティングプリンタ１０に設けられた対応するテーブル、メモリ、カウンタを用いるものとする。更に、一部ステップについては、下記のように読み替えるものとする。
【０１８３】
カッティング制御処理（Ｓ９）では、「カッティングプリンタ１０へカット関連のコマンドを送信する」ことに換えて、「カット関連のコマンドに従うシートの切断を実行する」ものとする。特に、カット移動コマンドに対しては、Ｓ９０２（図１０）において、「カット移動コマンドに、カット圧設定メモリ５３ｂとカット回数設定メモリ５３ｃとカット速度設定メモリ５３ｄとに記憶される各設定値を付加し、カッティングプリンタ１０へ送信する」ことに換えて、「カット移動コマンドに対応する切断線を、カット圧設定メモリ５３ｂとカット回数設定メモリ５３ｃとカット速度設定メモリ５３ｄとに記憶される各設定値で切断するものとして設定する」ものとする。
【０１８４】
また、印刷制御処理（Ｓ１７）では、「印刷関連のコマンドをカッティングプリンタ１０へ送信する」ことに換えて、「印刷関連のコマンドに従うシートへの印刷を実行する」ものとする。
【０１８５】
更に、各処理（Ｓ１８）では、「入力された各コマンドをカッティングプリンタ１０へ送信する」ことに換えて、「入力された各コマンドに従う処理を実行する」ものとする。なお、入力されたコマンドが、カット圧、カット回数、カット速度を固定値として設定するためのコマンドであった場合には、第１実施例と同様に、その固定値として設定される値を、カット圧設定メモリ５３ｂ、カット回数設定メモリ５３ｃ、カット速度設定メモリ５３ｄの中で対応するメモリに記憶する。
【０１８６】
加えて、Ｓ１９の処理では、「終了コマンドをカッティングプリンタ１０へ送信する」ことに換えて、「カッティングプリンタ１０での全ての処理を終了する」ものとする。
【０１８７】
次に、カッティングプリンタ１０における第４実施例のカッティングプリンタ制御処理について説明する。この第４実施例では、上述した第２実施例の延命制御処理（図１２）が、切断制御装置であるＰＣ５０により実行されたことに換えて、カッティングプリンタ１０により実行するように構成したものである。
【０１８８】
この第４実施例では、延命制御処理（Ｓ１３）以外は、上述した第３実施例のカッティングプリンタ処理と同様のカッティングプリンタ制御処理を、カッティングプリンタ１０により実行するように構成する。また、延命制御処理（Ｓ１３）については、上述した第２実施例の延命制御処理（図１２）と同様の処理を、カッティングプリンタ１０により実行するように構成する。なお、第４実施例の延命制御処理についても、上述した第２実施例の延命制御処理（図１２）において、各値を読み出すためにＰＣ５０に設けられたテーブル又はメモリ、あるいは、処理中に生成される各値を記憶するためにＰＣ５０に設けられたメモリ又はカウンタを、図１３に示したカッティングプリンタ１０に設けられた対応するテーブル、メモリ、カウンタを用いるものとする。
【０１８９】
以上、第３実施例及び第４実施例により説明したように、カッティング装置であるカッティングプリンタ１０によっても、上記第１実施例及び第２実施例において切断制御装置（ＰＣ５０）と同様の効果が得られ、それによって、カッタの寿命を効果的に延ばすことができる。
【０１９０】
なお、請求項１記載の切断長取得手段としては、第３実施例のカッティングプリンタ制御処理におけるＳ１４の処理が該当し、請求項１記載の劣化指数記憶手段としては、第３実施例のカッティングプリンタ制御処理におけるＳ１２の処理及び劣化指数メモリ１４ａが該当し、請求項１記載の切断制御手段としては、第３実施例の延命制御処理（Ｓ１３）又は第４実施例の延命制御処理（Ｓ１３）が該当する。また、請求項２記載の劣化指数取得手段としては、第３実施例のカッティングプリンタ制御手段におけるＳ１１，Ｓ１５の処理が該当し、請求項２記載の切断実行回数取得手段としては、第３実施例のカッティングプリンタ制御処理におけるＳ１０の処理が該当する。
【０１９１】
また、請求項１５記載の切断長取得手段としては、第１実施例のカッティングプリンタ制御処理におけるＳ１４の処理が該当し、請求項１５記載の劣化指数記憶手段としては、第１実施例のカッティングプリンタ制御処理におけるＳ１２の処理及び劣化指数メモリ５４ａが該当し、請求項１５記載の切断条件データ設定手段としては、第１実施例の延命制御処理（Ｓ１３）又は第２実施例の延命制御処理（Ｓ１３）が該当する。また、請求項１６記載の劣化指数取得手段としては、第１実施例のカッティングプリンタ制御処理におけるＳ１１，Ｓ１５の処理が該当し、また、請求項２記載の切断実行回数取得手段としては、第１実施例のカッティングプリンタ制御処理におけるＳ１０の処理が該当する。
【０１９２】
以上、実施例に基づき本発明を説明したが、本発明は上述した実施例に何ら限定されるものではなく、本発明の趣旨を逸脱しない範囲内で種々の改良変更が可能であることは容易に推察できるものである。
【０１９３】
例えば、上記実施例では、カッティング装置としてカッティングプリンタを例示したが、印刷ヘッド１８を備えていないカッティングプロッタであってもよい。
【０１９４】
また、上記第１実施例及び第２実施例では、切断実行回数Ｄを取得するために、カッタをシートへ下ろすように指示するカッタ下降データをＰＣ５０からカッティングプリンタ１０へ送信した回数を計数するように構成したが、これに換えて、カッタをシートから上げるように指示するカッタ上昇データをＰＣ５０からカッティングプリンタ１０へ送信した回数を計数するように構成してもよい。
【０１９５】
また、上記第３実施例及び第４実施例では、切断実行回数Ｄを取得するために、切断線制御データに基づいて、カッタをシートに下ろして当接させるよう指示するカッタ下降コマンドが生成された回数を計数するように構成したが、これに換えて、カッタをシートから上げるように指示するカッタ上昇コマンドが生成された回数を計数するように構成してもよい。
【０１９６】
また、上記第１実施例又は第２実施例では、１の切断線データ毎に切断条件の設定値を付加するように構成したが、切断が実行される前に、一括して設定された切断条件の設定値をカッティングプリンタ１０へ送信するように構成してもよい。最初に一括して切断条件を送信するように構成することによって、カッタの寿命を延ばすための処理を簡略化することができるので、装置及び処理プログラムの設計開発が容易となる。
【０１９７】
また、上記第３実施例又は第４実施例では、１の切断線毎に切断条件を設定するように構成したが、切断が実行される前に、一括して切断条件を設定するように構成してもよい。最初に一括して切断条件を設定するように構成することによって、カッタの寿命を延ばすための処理を簡略化することができるので、装置及び処理プログラムの設計開発が容易となる。
【０１９８】
また、上記実施例では、累積劣化指数Ａｇｅを算出する際に、切断距離Ｌを補正することにより得られた実効切断距離Ａｌｅｎと、切断実行回数Ｄを補正することにより得られた実効切断実行回数Ａｄｏｗｎとを用いるように構成したが、切断距離Ｌ及び切断実行回数Ｄを補正することなく用いるように構成してもよい。また、切断距離Ｌ又は切断実行回数Ｄ以外のパラメータをさらに加算することにより、累積劣化指数Ａｇｅを算出するように構成してもよい。
【０１９９】
また、上記第２実施例又は第４実施例では、カット圧が制御される例のみを示したが、他の切断条件であるカット回数やカット速度、あるいは、複数の切断条件を設定する際においても同様に、少なくとも１の閾値とその閾値により区切られる区間に対して設定された定数とを用いるように構成してもよい。更に、複数の切断条件を設定する際においては、閾値は全ての切断条件に対して共通に設けるように構成しても、各切断条件毎に独立して設けるようにしてもよい。
【０２００】
また、上記実施例において、所定のアプリケーションにより読み込まれた切断線データを含むＣＰ制御データは、ＲＡＭに設けられたＣＰ制御データメモリ１３ａ又は切断線データメモリ５３ａに記憶されるように構成したが、ＣＰ制御データが記憶部１４又は記憶部５４に記憶されるように構成してもよい。
【０２０１】
また、上記第１実施例及び第２実施例では、カッティングプリンタ制御処理（図３）を実行する切断制御装置としてパーソナルコンピュータ（ＰＣ５０）を例示したが、プリンタサーバなどの他の装置を切断制御装置として機能させるように構成してもよい。
【図面の簡単な説明】
【０２０２】
【図１】第１実施例の切断制御装置であるパーソナルコンピュータ（ＰＣ）及びそのＰＣに接続されたカッティング装置であるカッティングプリンタの構成を示すブロック図である。
【図２】メディア依存係数テーブル、カット圧依存関数メモリに記憶されるカット圧依存関数、カット速度依存関数メモリに記憶されるカット速度依存関数を説明する図であり、（ａ）は、メディア依存係数テーブルを示す図であり、（ｂ）は、カット圧依存関数を示す図であり、（ｃ）は、カット速度依存関数を示す図である。
【図３】第１実施例のＰＣで実行されるカッティングプリンタ制御処理のフローチャートである。
【図４】延命制御処理のフローチャートであり、（ａ）は、カット圧が累積劣化指数Ａｇｅに応じて設定される場合を示す図であり、図４（ｂ）は、カット回数が累積劣化指数Ａｇｅに応じて設定される場合を示す図であり、図４（ｃ）は、カット速度が累積劣化指数Ａｇｅに応じて設定される場合を示す図である。
【図５】累積劣化指数Ａｇｅとカット圧との関数の一例を示す図であり、（ａ）は、所定の閾値を境界として不連続的に変化する関数であり、（ｂ）は、所定の閾値を境界として連続的に変化する関数である。
【図６】累積劣化指数Ａｇｅとカット回数との関数の一例を示す図である。
【図７】累積劣化指数Ａｇｅとカット速度との関数の一例を示す図であり、（ａ）は、所定の閾値を境界として不連続的に変化する関数であり、（ｂ）は、所定の閾値を境界として連続的に変化する関数である。
【図８】複数の切断条件を設定する場合における延命制御処理のフローチャートであり、（ａ）は、カット圧とカット回数とが累積劣化指数Ａｇｅに応じて設定される場合を示す図であり、（ｂ）は、カット圧とカット速度とが累積劣化指数Ａｇｅに応じて設定される場合を示す図であり、（ｃ）は、カット回数とカット速度とが累積劣化指数Ａｇｅに応じて設定される場合を示す図であり、（ｄ）は、カット圧とカット回数とカット速度とが、累積劣化指数Ａｇｅに応じて設定される場合を示す図である。
【図９】累積劣化指数Ａｇｅに基づいて複数の切断条件を設定する場合を説明する図であり、（ａ）は、図８（ａ）に示した延命制御処理において用いられる関数の一例であり、（ｂ）は、図８（ｄ）に示した延命制御処理において用いられるの関数の一例である。
【図１０】カッティング制御処理のフローチャートである。
【図１１】第２実施例の切断制御装置であるＰＣの構成を説明する図であり、（ａ）は、第２実施例のＰＣにおけるＲＯＭの構成を示す図であり、（ｂ）は、閾値メモリを説明する図であり、（ｃ）は、切断条件設定値テーブルを説明する図である。
【図１２】第２実施例で実行される延命制御処理のフローチャートである。
【図１３】第３実施例のカッティングプリンタの構成を示すブロック図である。
【符号の説明】
【０２０３】
１０                カッティングプリンタ（カッティング装置）
１２ｄ              条件設定関数メモリ（条件制御関数記憶手段）
１２ｅ              閾値メモリ（閾値記憶手段）
１２ｆ              切断条件設定値テーブル（定数記憶手段）
１４ａ              劣化指数メモリ（劣化指数記憶手段の一部）
１４ｂ              カッタ下降カウンタ（切断実行回数取得手段の一部）
５０                ＰＣ（切断制御装置）
５２ｄ              条件設定関数メモリ（条件設定関数記憶手段）
５２ｅ              閾値メモリ（閾値記憶手段）
５２ｆ              切断条件設定値テーブル（定数データ記憶手段）
５４ａ              劣化指数メモリ（劣化指数記憶手段の一部）
５４ｂ              カッタ下降カウンタ（切断実行回数取得手段の一部）
【図１】
2005279890.tif 000003
【図２】
2005279890.tif 000004
【図３】
2005279890.tif 000005
【図４】
2005279890.tif 000006
【図５】
2005279890.tif 000007
【図６】
2005279890.tif 000008
【図７】
2005279890.tif 000009
【図８】
2005279890.tif 000010
【図９】
2005279890.tif 000011
【図１０】
2005279890.tif 000012
【図１１】
2005279890.tif 000013
【図１２】
2005279890.tif 000014
【図１３】
2005279890.tif 000015